(57)【特許請求の範囲】
【請求項１】
８０２．１１ネットワークにおいて動作するように構成された無線送信／受信ユニット（ＷＴＲＵ）であって、
媒体アクセス制御（ＭＡＣ）ヘッダを有するＭＡＣフレームを受信するように構成された送受信機であって、
前記ＭＡＣヘッダは、２つまたは３つのアドレスフィールドおよびＭＡＣフレームバージョンインジケータを含み、
前記ＭＡＣヘッダは、前記ＭＡＣヘッダ内の第３のアドレスフィールドの存在を示す少なくとも１ビットを含む、送受信機と、
第１のメッセージフィールド内の持続時間値に第２のメッセージフィールド内の乗数値を掛けることによって、ＭＡＣフレーム送信のための時間間隔を決定するように構成されたプロセッサと
を備えたことを特徴とするＷＴＲＵ。
【請求項２】
前記少なくとも１ビットが１に設定される場合、前記ＭＡＣヘッダ内の前記第３のアドレスフィールドを復号するように構成された前記プロセッサをさらに備えたことを特徴とする請求項１に記載のＷＴＲＵ。
【請求項３】
前記ＭＡＣヘッダは、オプションサブフィールドをさらに含み、前記オプションサブフィールドは、フラグメンテーションフィールド、伝送機会（ＴＸＯＰ）フィールド、超高スループット（ＶＨＴ）制御フィールド、または、ＭＡＣヘッダ（ＭＨ）オプションフィールドを含むことを特徴とする請求項１に記載のＷＴＲＵ。
【請求項４】
前記ＭＨオプションフィールドは、異なるタイプのＭＡＣヘッダを示すことを特徴とする請求項３に記載のＷＴＲＵ。
【請求項５】
前記ＭＡＣヘッダは、前記ＭＡＣヘッダ内の第４のアドレスフィールドの存在の表示をさらに含むことを特徴とする請求項１に記載のＷＴＲＵ。
【請求項６】
前記ＭＡＣヘッダは、前記ＭＡＣヘッダ内の持続時間フィールドの中で使用される時間単位を示す少なくとも２ビットをさらに含むことを特徴とする請求項１に記載のＷＴＲＵ。
【請求項７】
もう１つのＷＴＲＵとＭＡＣヘッダタイプをネゴシエートするために情報を処理するように構成された前記プロセッサをさらに備えたことを特徴とする請求項１に記載のＷＴＲＵ。
【請求項８】
もう１つのＷＴＲＵと前記ＭＡＣヘッダの圧縮をネゴシエートするために情報を処理するように構成された前記プロセッサをさらに備えたことを特徴とする請求項１に記載のＷＴＲＵ。
【請求項９】
前記ＭＡＣヘッダは、シーケンス制御フィールドをさらに含むことを特徴とする請求項１に記載のＷＴＲＵ。
【請求項１０】
前記送受信機は、前記時間間隔中、ＭＡＣフレームを送信するようにさらに構成されたことを特徴とする請求項１に記載のＷＴＲＵ。
【請求項１１】
８０２．１１ネットワークにおいて動作する無線送信／受信ユニット（ＷＴＲＵ）によって実行される方法であって、
前記ＷＴＲＵによって、媒体アクセス制御（ＭＡＣ）ヘッダを有するＭＡＣフレームを受信するステップであって、
前記ＭＡＣヘッダは、２つまたは３つのアドレスフィールドおよびＭＡＣフレームバージョンインジケータを含み、
前記ＭＡＣヘッダは、前記ＭＡＣヘッダ内の第３のアドレスフィールドの存在を示す少なくとも１ビットを含む、ステップと、
前記ＷＴＲＵによって、第１のメッセージフィールド内の持続時間値に第２のメッセージフィールド内の乗数値を掛けることによって、ＭＡＣフレーム送信のための時間間隔を決定するステップと
を備えることを特徴とする方法。
【請求項１２】
前記ＷＴＲＵによって、前記少なくとも１ビットが１に設定される場合、前記ＭＡＣヘッダ内の前記第３のアドレスフィールドを復号するステップをさらに備えることを特徴とする請求項１１に記載の方法。
【請求項１３】
前記ＭＡＣヘッダは、オプションサブフィールドをさらに含み、前記オプションサブフィールドは、フラグメンテーションフィールド、伝送機会（ＴＸＯＰ）フィールド、超高スループット（ＶＨＴ）制御フィールド、または、ＭＡＣヘッダ（ＭＨ）オプションフィールドを含むことを特徴とする請求項１１に記載の方法。
【請求項１４】
前記ＭＨオプションフィールドは、異なるタイプのＭＡＣヘッダを示すことを特徴とする請求項１３に記載の方法。
【請求項１５】
前記ＭＡＣヘッダは、前記ＭＡＣヘッダ内の第４のアドレスフィールドの存在の表示をさらに含むことを特徴とする請求項１１に記載の方法。
【請求項１６】
前記ＭＡＣヘッダは、前記ＭＡＣヘッダ内の持続時間フィールドの中で使用される時間単位を示す少なくとも２ビットをさらに含むことを特徴とする請求項１１に記載の方法。
【請求項１７】
前記ＷＴＲＵによって、もう１つのＷＴＲＵとＭＡＣヘッダタイプをネゴシエートするステップをさらに備えることを特徴とする請求項１１に記載の方法。
【請求項１８】
前記ＷＴＲＵによって、もう１つのＷＴＲＵと前記ＭＡＣヘッダの圧縮をネゴシエートするステップをさらに備えることを特徴とする請求項１１に記載の方法。
【請求項１９】
前記ＭＡＣヘッダは、シーケンス制御フィールドをさらに含むことを特徴とする請求項１１に記載の方法。
【請求項２０】
前記ＷＴＲＵによって、前記時間間隔中、ＭＡＣフレームを送信するステップをさらに含むことを特徴とする請求項１１に記載の方法。
【発明の詳細な説明】
【技術分野】
【０００１】
本願は、無線通信に関する。
【背景技術】
【０００２】
（関連出願の相互参照）
本出願は、参照により内容が本明細書に組み込まれている、２０１２年５月４日に出願した米国仮特許出願第６１／６４２，７４１号明細書、２０１２年７月６日に出願した米国仮特許出願第６１／６６８，５９８号明細書、および２０１２年１１月８日に出願した米国仮特許出願第６１／７２４，０９９号明細書の利益を主張するものである。
【０００３】
参照により、以下、すなわち、インテル社他、ＩＥＥＥ８０２．１１−１２／０６０２ｒ０、「ＴＧａｈ  Ｓｐｅｃ  Ｄｅｖｅｌｏｐｍｅｎｔ  Ｐｒｏｃｅｓｓ」、２０１２年５月、クアルコム社他、ＩＥＥＥ８０２．１１−１２／０３６５Ｒ１、「ＭＡＣ  ＨＥＡＤＥＲ  ＣＯＭＰＲＥＳＳＩＯＮ」、２０１２年３月、エスティーマイクロエレクトロニクス社（ＳＴＭＩＣＲＯＥＬＥＣＴＲＯＮＩＣＳ）、ＩＥＥＥ８０２．１１−１２／０１１０Ｒ６、「ＦＲＡＭＥ  ＨＥＡＤＥＲ  ＣＯＭＰＲＥＳＳＩＯＮ」、２０１２年３月、ＺＴＥ社他、ＩＥＥＥ８０２．１１−１２／００９４Ｒ２、「ＭＡＣ  ＨＥＡＤＥＲ  ＤＥＳＩＧＮ  ＦＯＲ  ＳＭＡＬＬ  ＤＡＴＡ  ＰＡＣＫＥＴ  ＦＯＲ  ８０２．１１ＡＨ」、２０１２年１月、ＩＥＥＥ８０２．１１−１１／０９０５Ｒ５、「ＴＧａｈ  Ｆｕｎｃｔｉｏｎａｌ  Ｒｅｑｕｉｒｅｍｅｎｔｓ  ａｎｄ  Ｅｖａｌｕａｔｉｏｎ  Ｍｅｔｈｏｄｏｌｏｇｙ  Ｒｅｖ  ５」、２０１２年１月、ＩＥＥＥ  Ｓｔｄ  ８０２．１１（商標）−２０１２、「Ｗｉｒｅｌｅｓｓ  ＬＡＮ  ＭＡＣ  ａｎｄ  ＰＨＹ  Ｓｐｅｃｉｆｉｃａｔｉｏｎｓ」、２０１２年３月、およびＩＥＥＥ  Ｐ８０２．１１ａｃ（商標）／Ｄ２．０、「Ｗｉｒｅｌｅｓｓ  ＬＡＮ  ＭＡＣ  ａｎｄ  ＰＨＹ  Ｓｐｅｃｉｆｉｃａｔｉｏｎｓ」、２０１２年１月も全体が記載されているかのように本明細書に組み込まれる。
【０００４】
無線ローカルエリアネットワーク（ＷＬＡＮ）などの無線通信システムに新たなスペクトルが割り当てられている。そのようなスペクトルは、チャネルのサイズが限られている、チャネルの帯域幅が限られている、断片化されている、または超高スループット（ｖｅｒｙ  ｈｉｇｈ  ｔｈｒｏｕｇｈｐｕｔ）（ＶＨＴ）サービスを提供するために組み合わせることができない可能性がある。そのようなスペクトルの限界から、ＷＬＡＮシステムは、例えば、８０２．１１ｎ／８０２．１１ａｃ標準に基づく高スループット（ＨＴ）／ＶＨＴ  ＷＬＡＮシステムと比べて、より小さい帯域幅、および、より低いデータレートしかサポートすることができない可能性がある。
【０００５】
ＩＥＥＥ８０２．１１ａｈタスクグループ（ＴＧ）が、１ＧＨｚ未満の帯域でＷｉ−Ｆｉシステムをサポートするソリューションを開発するように確立されている。８０２．１１ａｈによって要求される、時々狭い帯域幅に対応するのに、８０２．１１ａｃ  ＰＨＹが、１／１０にダウンクロック（ｄｏｗｎ−ｃｌｏｃｋ）されることが可能である。２ＭＨｚ、４ＭＨｚ、８ＭＨｚ、および１６ＭＨｚのサポートは、前述した１／１０にダウンクロックすることによって実現され得るが、１ＭＨｚ帯域幅のサポートは、３２という高速フーリエ変換（ＦＦＴ）サイズを用いた新たなＰＨＹ定義を要求する。
【０００６】
８０２．１１ａｈデバイス、８０２．１１デバイス、８０２デバイス、または他の任意の将来のデバイスにおけるいくつかのデバイスおよびトラフィックに関して、スループットを向上させるようにオーバーヘッドを小さくすることが望ましい。オーバーヘッドの１の源が、媒体アクセス制御（ＭＡＣ）ヘッダである。
【発明の概要】
【０００７】
少なくとも２のアドレスフィールドと、それが短いＭＡＣヘッダであることを示すインジケータフィールドとを有する短いＭＡＣヘッダを有する媒体アクセス制御（ＭＡＣ）フレームが、提供される。前記インジケータフィールドは、前記短いＭＡＣヘッダ内の第３のアドレスフィールドまたは第４のアドレスフィールドの存在を示すことが可能である。前記インジケーションは、１、２、または任意の数のビットインジケータであり得る。
【図面の簡単な説明】
【０００８】
より詳細な理解は、添付の図面と併せて例として与えられる、以下の説明から得ることができる。
【図１Ａ】開示される１つまたは複数の実施形態が実施され得る例示的な通信システムを示す図である。
【図１Ｂ】図１Ａに示される通信システム内で使用され得る例示的な無線送信／受信ユニット（ＷＴＲＵ）を示す図である。
【図１Ｃ】図１Ａに示される通信システム内で使用され得る例示的な無線アクセスネットワーク、および、例示的なコアネットワークを示す図である。
【図２】標準の媒体アクセス制御（ＭＡＣ）ヘッダを示す図である。
【図３】例示的なＭＡＣヘッダを示す図である。
【図４】例示的なＭＡＣヘッダに関する例示的なオプションのフィールドを示す図である。
【図５】例示的なＭＡＣヘッダに関する例示的なフレーム制御フィールドを示す図である。
【図６】制御フレームに関する例示的なＭＡＣヘッダを示す図である。
【図７】管理フレームに関する例示的なＭＡＣヘッダを示す図である。
【図８】ＭＡＣフレームを受け取ること、または、供給することの例を示す図である。
【図９】ＭＡＣヘッダ圧縮をネゴシエートすることの例を示す図である。
【図１０】ＭＡＣフレームを扱うことの例を示す図である。
【発明を実施するための形態】
【０００９】
図１Ａは、開示される１つまたは複数の実施形態が実施され得る例示的な通信システム１００の図である。通信システム１００は、複数の無線ユーザに、音声、データ、ビデオ、メッセージング、ブロードキャストなどのコンテンツを提供する多元接続システムであり得る。通信システム１００は、複数の無線ユーザが、無線帯域幅を含むシステムリソースを共有することを通して、そのようなコンテンツにアクセスすることを可能にし得る。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を使用することが可能である。
【００１０】
図１Ａに示されるとおり、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および、その他のネットワーク１１２を含むことが可能であり、ただし、開示される実施形態は、任意の数のＷＴＲＵ、基地局、ネットワーク、および／または、ネットワーク要素を企図することが認識されよう。ＷＴＲＵ１０２ａ、１０２ｂ、１０２ｃ、１０２ｄのそれぞれは、無線環境において動作し、および／または、通信するように構成された任意のタイプのデバイスであり得る。例として、ＷＴＲＵ１０２ａ、１０２ｂ、１０２ｃ、１０２ｄは、無線信号を送信するように、および／または、受信するように構成されることが可能であり、ユーザ機器（ＵＥ）、移動局、固定加入者ユニットまたはモバイル加入者ユニット、ポケットベル、セルラ電話機、携帯情報端末（ＰＤＡ）、スマートフォン、ラップトップ、ネットブック、パーソナルコンピュータ、無線センサ、家庭用電子機器などを含み得る。
【００１１】
通信システム１００は、基地局１１４ａおよび基地局１１４ｂを含むことも可能である。基地局１１４ａおよび１１４ｂのそれぞれは、コアネットワーク１０６、インターネット１１０、および／または、その他のネットワーク１１２などの１つまたは複数の通信ネットワークへのアクセスを円滑にするようにＷＴＲＵ１０２ａ、１０２ｂ、１０２ｃ、１０２ｄのうちの少なくとも１つと無線でインターフェースをとるように構成された任意のタイプのデバイスであり得る。例として、基地局１１４ａ、１１４ｂは、基地局トランシーバ（ＢＴＳ）、ノードＢ、ｅノードＢ、ホームノードＢ、ホームｅノードＢ、サイトコントローラ、アクセスポイント（ＡＰ）、無線ルータなどであり得る。基地局１１４ａ、１１４ｂはそれぞれ、単一の要素として示されるが、基地局１１４ａ、１１４ｂは、任意の数の互いに接続された基地局および／またはネットワーク要素を含み得ることが認識されよう。
【００１２】
基地局１１４ａは、ＲＡＮ１０４の一部であることが可能であり、ＲＡＮ１０４は、基地局コントローラ（ＢＳＣ）、無線ネットワークコントローラ（ＲＮＣ）、中継ノードなどのその他の基地局および／またはネットワーク要素（図示せず）を含むことも可能である。基地局１１４ａおよび／または基地局１１４ｂは、セル（図示せず）と呼ばれ得る特定の地理的領域内で無線信号を送信するように、および／または、受信するように構成され得る。セルは、セルセクタにさらに分割され得る。例えば、基地局１１４ａに関連付けられたセルは、３つのセクタに分割されることが可能である。このため、一実施形態において、基地局１１４ａは、３つの、すなわち、セルの各セクタにつき１のトランシーバを含み得る。別の実施形態において、基地局１１４ａは、多入力多出力（ＭＩＭＯ）技術を使用することが可能であり、したがって、セルの各セクタに関して多重トランシーバを利用することが可能である。
【００１３】
基地局１１４ａ、１１４ｂは、無線インターフェース１１６を介してＷＴＲＵ１０２ａ、１０２ｂ、１０２ｃ、１０２ｄのうちの１つまたは複数と通信することが可能であり、無線インターフェース１１６は、任意の適切な無線通信リンク（例えば、無線周波数（ＲＦ）、マイクロ波、赤外線（ＩＲ）、紫外線（ＵＶ）、可視光など）であり得る。無線インターフェース１１６は、任意の適切な無線アクセス技術（ＲＡＴ）を使用して確立され得る。
【００１４】
より詳細には、前述したとおり、通信システム１００は、多元接続システムであることが可能であり、および、ＣＤＭＡ、ＴＤＭＡ、ＦＤＭＡ、ＯＦＤＭＡ、ＳＣ−ＦＤＭＡなどの１つまたは複数のチャネルアクセススキームを使用することが可能である。例えば、ＲＡＮ１０４における基地局１１４ａ、および、ＷＴＲＵ１０２ａ、１０２ｂ、１０２ｃが、広帯域ＣＤＭＡ（ＷＣＤＭＡ）を使用して無線インターフェース１１６を確立することが可能な、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）（ＵＭＴＳ）地上無線アクセス（ＵＴＲＡ）などの無線技術を実施することが可能である。ＷＣＤＭＡ（登録商標）は、高速パケットアクセス（ＨＳＰＡ）および／または発展型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１５】
別の実施形態において、基地局１１４ａ、および、ＷＴＲＵ１０２ａ、１０２ｂ、１０２ｃが、ロングタームエボリューション（ＬＴＥ）および／またはＬＴＥアドバンスト（ＬＴＥ−Ａ）を使用して無線インターフェース１１６を確立することが可能な、発展型ＵＭＴＳ地上無線アクセス（Ｅ−ＵＴＲＡ）などの無線技術を実施することが可能である。
【００１６】
他の実施形態において、基地局１１４ａ、および、ＷＴＲＵ１０２ａ、１０２ｂ、１０２ｃが、ＩＥＥＥ８０２．１６（すなわち、ワールドワイドインターオペラビリティフォーマイクロウェイブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（ＧＳＭ）、エンハンストデータレートフォーＧＳＭエボリューション（Ｅｎｈａｎｃｅｄ  Ｄａｔａ  ｒａｔｅｓ  ｆｏｒ  ＧＳＭ  Ｅｖｏｌｕｔｉｏｎ）（ＥＤＧＥ）、ＧＳＭ  ＥＤＧＥ（ＧＥＲＡＮ）などの無線技術を実施することが可能である。
【００１７】
図１Ａにおける基地局１１４ｂは、例えば、無線ルータ、ホームノードＢ、ホームｅノードＢ、またはアクセスポイントであることが可能であり、さらに事業所、自宅、車両、キャンパスなどの局在化された区域内で無線接続を円滑にするための任意の適切なＲＡＴを利用することが可能である。一実施形態において、基地局１１４ｂ、および、ＷＴＲＵ１０２ｃ、１０２ｄが、ＩＥＥＥ８０２．１１などの無線技術を実施して、無線ローカルエリアネットワーク（ＷＬＡＮ）を確立することが可能である。別の実施形態において、基地局１１４ｂ、および、ＷＴＲＵ１０２ｃ、１０２ｄが、ＩＥＥＥ８０２．１５などの無線技術を実施して、無線パーソナルエリアネットワーク（ＷＰＡＮ）を確立することが可能である。さらに別の実施形態において、基地局１１４ｂ、および、ＷＴＲＵ１０２ｃ、１０２ｄが、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することが可能である。図１Ａに示されるとおり、基地局１１４ｂは、インターネット１１０に対する直接の接続を有することが可能である。このため、基地局１１４ｂは、コアネットワーク１０６を介してインターネット１１０にアクセスすることは要求されない可能性がある。
【００１８】
ＲＡＮ１０４は、コアネットワーク１０６と通信状態にあることが可能であり、コアネットワーク１０６は、音声サービス、データサービス、アプリケーションサービス、および／またはボイスオーバーインターネットプロトコル（ｖｏｉｃｅ  ｏｖｅｒ  ｉｎｔｅｒｎｅｔ  ｐｒｏｔｏｃｏｌ）（ＶｏＩＰ）サービスをＷＴＲＵ１０２ａ、１０２ｂ、１０２ｃ、１０２ｄのうちの１つまたは複数に提供するように構成された任意のタイプのネットワークであり得る。例えば、コアネットワーク１０６は、呼制御、料金請求サービス、モバイルロケーションベースのサービス、プリペイド通話、インターネット接続、ビデオ配信などを提供することが可能であり、および／または、ユーザ認証などの高レベルのセキュリティ機能を実行することが可能である。図１Ａには示されないものの、ＲＡＮ１０４および／またはコアネットワーク１０６は、ＲＡＮ１０４と同一のＲＡＴを使用する、または異なるＲＡＴを使用する他のＲＡＮと直接または間接の通信状態にあってもよいことが認識されよう。例えば、Ｅ−ＵＴＲＡ無線技術を利用していることが可能なＲＡＮ１０４に接続されていることに加えて、コアネットワーク１０６は、ＧＳＭ無線技術を使用する別のＲＡＮ（図示せず）と通信状態にあることも可能である。
【００１９】
コアネットワーク１０６は、ＷＴＲＵ１０２ａ、１０２ｂ、１０２ｃ、１０２ｄがＰＳＴＮ１０８、インターネット１１０、および／または、その他のネットワーク１１２にアクセスするゲートウェイの役割をすることも可能である。ＰＳＴＮ１０８は、普通の従来の電話サービス（ＰＯＴＳ）を提供する回線交換電話網を含み得る。インターネット１１０は、ＴＣＰ／ＩＰインターネットプロトコルスイートにおける伝送制御プロトコル（ＴＣＰ）、ユーザデータグラムプロトコル（ＵＤＰ）、および、インターネットプロトコル（ＩＰ）などの一般的な通信プロトコルを使用する互いに接続されたコンピュータネットワークおよびコンピュータデバイスの地球規模のシステムを含み得る。ネットワーク１１２は、他のサービスプロバイダによって所有され、および／または、運用される有線通信ネットワークまたは無線通信ネットワークを含み得る。例えば、ネットワーク１１２は、ＲＡＮ１０４と同一のＲＡＴを使用することも、異なるＲＡＴを使用することも可能な１つまたは複数のＲＡＮに接続された別のコアネットワークを含み得る。
【００２０】
システム１００と通信状態にあるＷＴＲＵ１０２ａ、１０２ｂ、１０２ｃ、１０２ｄのいくつか、または、すべてが、マルチモード能力を含むことが可能であり、すなわち、ＷＴＲＵ１０２ａ、１０２ｂ、１０２ｃ、１０２ｄは、異なる無線リンクを介して異なる無線ネットワークと通信するための多重トランシーバを含み得る。例えば、図１Ａに示されるＷＴＲＵ１０２ｃが、セルラベースの無線技術を使用することが可能な基地局１１４ａと通信し、さらにＩＥＥＥ８０２無線技術を使用することが可能な基地局１１４ｂと通信するように構成され得る。
【００２１】
図１Ｂは、例示的なＷＴＲＵ１０２のシステム図である。図１Ｂに示されるとおり、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源供給装置１３４と、全地球測位システム（ＧＰＳ）チップセット１３６と、その他の周辺装置１３８とを含み得る。ＷＴＲＵ１０２は、実施形態と合致したままでありながら、前述した要素の任意の部分的組み合わせを含み得ることが認識されよう。
【００２２】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態マシンなどであることが可能である。プロセッサ１１８は、信号符号化、データ処理、電力制御、入出力処理、および／または、ＷＴＲＵ１０２が無線環境において動作することを可能にする他の任意の機能を実行することが可能である。プロセッサ１１８は、トランシーバ１２０に結合されることが可能であり、トランシーバ１２０は、送信／受信要素１２２に結合されることが可能である。図１Ｂは、プロセッサ１１８とトランシーバ１２０を別々の構成要素として示すが、プロセッサ１１８とトランシーバ１２０は、電子パッケージまたは電子チップとして一体化されてもよいことが認識されよう。
【００２３】
送信／受信要素１２２は、無線インターフェース１１６を介して基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、および／または、受信するように構成されたアンテナであり得る。別の実施形態において、送信／受信要素１２２は、例えば、ＩＲ信号、ＵＶ信号、または、可視光信号を送信するように、および／または、受信するように構成されたエミッタ／検出器であり得る。さらに別の実施形態において、送信／受信要素１２２は、ＲＦ信号と光信号との両方を送信および受信するように構成され得る。送信／受信要素１２２は、無線信号の任意の組み合わせを送信するように、および／または、受信するように構成され得ることを認識されたい。
【００２４】
さらに、送信／受信要素１２２は、単一の要素として図１Ｂに示されるものの、ＷＴＲＵ１０２は、任意の数の送信／受信要素１２２を含むことが可能である。より詳細には、ＷＴＲＵ１０２は、ＭＩＭＯ技術を使用することが可能である。このため、一実施形態において、ＷＴＲＵ１０２は、無線インターフェース１１６を介して無線信号を送信および受信するための２つ以上の送信／受信要素１２２（例えば、複数のアンテナ）を含み得る。
【００２５】
トランシーバ１２０は、送信／受信要素１２２によって送信されることとなる信号を変調するように、および、送信／受信要素１２２によって受信された信号を復調するように構成され得る。前述したとおり、ＷＴＲＵ１０２は、マルチモード能力を有することが可能である。このため、トランシーバ１２０は、ＷＴＲＵ１０２が、例えば、ＵＴＲＡおよびＩＥＥＥ８０２．１１などの複数のＲＡＴを介して通信することを可能にするための多重トランシーバを含み得る。
【００２６】
ＷＴＲＵ１０２のプロセッサ１１８は、スピーカ／マイクロフォン１２４、キーパッド１２６、および／または、ディスプレイ／タッチパッド１２８（例えば、液晶ディスプレイ（ＬＣＤ）ディスプレイユニットまたは有機発光ダイオード（ＯＬＥＤ）ディスプレイユニット）に結合されることが可能であり、さらにスピーカ／マイクロフォン１２４、キーパッド１２６、および／または、ディスプレイ／タッチパッド１２８からユーザによって入力されたデータを受け取ることが可能である。プロセッサ１１８は、スピーカ／マイクロフォン１２４、キーパッド１２６、および／または、ディスプレイ／タッチパッド１２８にユーザデータを出力することも可能である。さらに、プロセッサ１１８は、非リムーバブルメモリ１３０および／またはリムーバブルメモリ１３２などの、任意のタイプの適切なメモリからの情報にアクセスすること、および、そのようなメモリの中にデータを格納することが可能である。非リムーバブルメモリ１３０は、ランダムアクセスメモリ（ＲＡＭ）、読み取り専用メモリ（ＲＯＭ）、ハードディスク、または、他の任意のタイプのメモリストレージデバイスを含み得る。リムーバブルメモリ１３２は、加入者ＩＤモジュール（ＳＩＭ）カード、メモリスティック、セキュアデジタル（ＳＤ）メモリカードなどを含み得る。他の実施形態において、プロセッサ１１８は、サーバ上または自宅コンピュータ上（図示せず）など、ＷＴＲＵ１０２に物理的に配置されていないメモリからの情報にアクセスすること、および、そのようなメモリの中にデータを格納することが可能である。
【００２７】
プロセッサ１１８は、電源供給装置１３４から電力を受けることが可能であり、さらにＷＴＲＵ１０２におけるその他の構成要素に対する電力を配電するように、および／または、制御するように構成されることが可能である。電源供給装置１３４は、ＷＴＲＵ１０２に電力を供給するための任意の適切なデバイスであり得る。例えば、電源供給装置１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２８】
プロセッサ１１８は、ＧＰＳチップセット１３６にさらに結合されることが可能であり、ＧＰＳチップセット１３６は、ＷＴＲＵ１０２の現在のロケーションに関するロケーション情報（例えば、経度と緯度）を供給するように構成され得る。ＧＰＳチップセット１３６からの情報に加えて、または、そのような情報の代わりに、ＷＴＲＵ１０２は、基地局（例えば、基地局１１４ａ、１１４ｂ）から無線インターフェース１１６を介してロケーション情報を受信し、および／または、近くの２つ以上の基地局から受信されている信号のタイミングに基づいてそれのロケーションを算出してもよい。ＷＴＲＵ１０２は、実施形態と合致したままでありながら、任意の適切なロケーション特定方法によってロケーション情報を獲得することが可能であることが認識されよう。
【００２９】
プロセッサ１１８は、さらなる特徴、機能、および／または、有線接続もしくは無線接続をもたらす１つまたは複数のソフトウェアモジュールおよび／またはハードウェアモジュールを含み得る、その他の周辺装置１３８にさらに結合され得る。例えば、周辺装置１３８は、加速度計、電子コンパス、衛星トランシーバ、（写真またはビデオのための）デジタルカメラ、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含み得る。
【００３０】
図１Ｃは、実施形態によるＲＡＮ１０４およびコアネットワーク１０６のシステム図である。ＲＡＮ１０４は、ＩＥＥＥ８０２．１６無線技術を使用して、無線インターフェース１１６を介してＷＴＲＵ１０２ａ、１０２ｂ、１０２ｃと通信するアクセスサービスネットワーク（ＡＳＮ）であり得る。後段でさらに詳細に説明されるとおり、ＷＴＲＵ１０２ａ、１０２ｂ、１０２ｃ、ＲＡＮ１０４、および、コアネットワーク１０６の様々な機能エンティティの間の通信リンクは、基準点と定義され得る。
【００３１】
図１Ｃに示されるとおり、ＲＡＮ１０４は、基地局１４０ａ、１４０ｂ、１４０ｃ、および、ＡＳＮゲートウェイ１４２を含むことが可能であり、ただし、ＲＡＮ１０４は、実施形態と合致したままでありながら、任意の数の基地局およびＡＳＮゲートウェイを含み得ることが認識されよう。基地局１４０ａ、１４０ｂ、１４０ｃは、それぞれ、ＲＡＮ１０４内の特定のセル（図示せず）に関連付けられることが可能であり、さらにそれぞれ、無線インターフェース１１６を介してＷＴＲＵ１０２ａ、１０２ｂ、１０２ｃと通信するための１つまたは複数のトランシーバを含むことが可能である。一実施形態において、基地局１４０ａ、１４０ｂ、１４０ｃは、ＭＩＭＯ技術を実施することが可能である。このため、例えば、基地局１４０ａは、複数のアンテナを使用して、ＷＴＲＵ１０２ａに無線信号を送信すること、および、ＷＴＲＵ１０２ａから無線信号を受信することが可能である。基地局１４０ａ、１４０ｂ、１４０ｃは、ハンドオフをトリガすること、トンネル確立、無線リソース管理、トラフィック分類、サービス品質（ＱｏＳ）ポリシー実施などのモビリティ管理機能を提供することも可能である。ＡＳＮゲートウェイ１４２は、トラフィック集約点の役割をすることが可能であり、さらにページング、加入者プロフィールのキャッシング、コアネットワーク１０６へのルーティングなどを担うことが可能である。
【００３２】
ＷＴＲＵ１０２ａ、１０２ｂ、１０２ｃとＲＡＮ１０４との間の無線インターフェース１１６は、ＩＥＥＥ８０２．１６仕様を実施するＲ１基準点と定義され得る。さらに、ＷＴＲＵ１０２ａ、１０２ｂ、１０２ｃのそれぞれは、コアネットワーク１０６を相手に論理インターフェース（図示せず）を確立することが可能である。ＷＴＲＵ１０２ａ、１０２ｂ、１０２ｃとコアネットワーク１０６との間の論理インターフェースは、Ｒ２基準点と定義されることが可能であり、Ｒ２基準点は、認証、許可、ＩＰホスト構成管理、および／または、モビリティ管理のために使用され得る。
【００３３】
基地局１４０ａ、１４０ｂ、１４０ｃのそれぞれの間の通信リンクは、ＷＴＲＵハンドオーバ、および、基地局間のデータの転送を円滑にするためのプロトコルを含むＲ８基準点と定義され得る。基地局１４０ａ、１４０ｂ、１４０ｃとＡＳＮゲートウェイ１４２との間の通信リンクは、Ｒ６基準点と定義され得る。Ｒ６基準点は、ＷＴＲＵ１０２ａ、１０２ｂ、１０２ｃのそれぞれに関連付けられたモビリティイベントに基づいてモビリティ管理を円滑にするためのプロトコルを含み得る。
【００３４】
図１Ｃに示されるとおり、ＲＡＮ１０４は、コアネットワーク１０６に接続され得る。ＲＡＮ１０４とコアネットワーク１０６との間の通信リンクは、例えば、データ転送能力およびモビリティ管理能力を円滑にするためのプロトコルを含むＲ３基準点と定義され得る。コアネットワーク１０６は、モバイルＩＰホームエージェント（ＭＩＰ−ＨＡ）１４４、認証−許可−アカウンティング（ＡＡＡ）サーバ１４６、および、ゲートウェイ１４８を含むことが可能である。前述の要素のそれぞれは、コアネットワーク１０６の一部として示されるが、これらの要素のうちのいずれの要素も、コアネットワーク事業者以外のエンティティによって所有されおよび／または運用され得ることが認識されよう。
【００３５】
ＭＩＰ−ＨＡ１４４は、ＩＰアドレス管理を担うことが可能であり、さらにＷＴＲＵ１０２ａ、１０２ｂ、１０２ｃが、異なるＡＳＮおよび／または異なるコアネットワークの間でローミングすることを可能にすることができる。ＭＩＰ−ＨＡ１４４は、インターネット１１０などのパケット交換網に対するアクセスをＷＴＲＵ１０２ａ、１０２ｂ、１０２ｃにもたらして、ＷＴＲＵ１０２ａ、１０２ｂ、１０２ｃとＩＰ対応のデバイスとの間の通信を円滑にすることが可能である。ＡＡＡサーバ１４６は、ユーザ認証、および、ユーザサービスをサポートすることを担うことが可能である。ゲートウェイ１４８は、その他のネットワークとのインターワーキングを円滑にすることが可能である。例えば、ゲートウェイ１４８は、ＰＳＴＮ１０８などの回線交換網に対するアクセスをＷＴＲＵ１０２ａ、１０２ｂ、１０２ｃにもたらして、ＷＴＲＵ１０２ａ、１０２ｂ、１０２ｃと従来の固定電話通信デバイスとの間の通信を円滑にすることが可能である。さらに、ゲートウェイ１４８は、他のサービスプロバイダによって所有されおよび／または運用される他の有線ネットワークまたは無線ネットワークを含み得るネットワーク１１２に対するアクセスをＷＴＲＵ１０２ａ、１０２ｂ、１０２ｃにもたらすことが可能である。
【００３６】
図１Ｃには示されないものの、ＲＡＮ１０４は、他のＡＳＮに接続されることが可能であり、および、コアネットワーク１０６は、他のコアネットワークに接続されることが可能であることが認識されよう。ＲＡＮ１０４とその他のＡＳＮとの間の通信リンクは、Ｒ４基準点と定義されることが可能であり、Ｒ４基準点は、ＲＡＮ１０４と他のＡＳＮとの間でＷＴＲＵ１０２ａ、１０２ｂ、１０２ｃのモビリティを調整するためのプロトコルを含み得る。コアネットワーク１０６とその他のコアネットワークとの間の通信リンクは、Ｒ５基準点と定義されることが可能であり、Ｒ５基準点は、ホームコアネットワークと移動先コアネットワークとの間のインターワーキングを円滑にするためのプロトコルを含み得る。
【００３７】
他のネットワーク１１２は、ＩＥＥＥ８０２．１１に基づく無線ローカルエリアネットワーク（ＷＬＡＮ）１６０にさらに接続され得る。ＷＬＡＮ１６０は、アクセスルータ１６５を含み得る。アクセスルータは、ゲートウェイ機能を含むことが可能である。アクセスルータ１６５は、複数のアクセスポイント（ＡＰ）１７０ａ、１７０ｂと通信状態にあることが可能である。アクセスルータ１６５とＡＰ１７０ａ、１７０ｂとの間の通信は、有線イーサネット（登録商標）（ＩＥＥＥ８０２．３標準）、または、任意のタイプの無線通信プロトコルを介することが可能である。ＡＰ１７０ａは、無線インターフェースを介してＷＴＲＵ１０２ｄと無線通信状態にある。
【００３８】
インフラストラクチャ基本サービスセット（ＢＳＳ）モードにあるＷＬＡＮは、ＢＳＳのためのＡＰと、そのＡＰに関連付けられた１つまたは複数の局（ＳＴＡ）とを有し得る。そのＡＰは、ＢＳＳに入るトラフィックおよびＢＳＳを出るトラフィックを伝送する配信システム（ＤＳ）または別のタイプの有線／無線ネットワークに対するアクセスまたはインターフェースを有し得る。ＢＳＳの外部から発信されたＳＴＡに対するトラフィックは、ＡＰ経由で着信することが可能であり、ＳＴＡに配信される。ＳＴＡから、ＢＳＳの外部の宛先に発信されるトラフィックは、ＡＰに送られて、それぞれの宛先に配信されることが可能である。ＢＳＳ内のＳＴＡの間のトラフィックは、ＡＰ経由で送られることも可能であり、この場合、送信元ＳＴＡは、トラフィックをＡＰに送り、さらにＡＰが、そのトラフィックを宛先ＳＴＡに配信する。ＢＳＳ内のＳＴＡ間のそのようなトラフィックは、ピアツーピアトラフィックであり得る。そのようなピアツーピアトラフィックは、８０２．１１ｅ  ＤＬＳまたは８０２．１１ｚトンネルＤＬＳ（ＴＤＬＳ）を使用するダイレクトリンクセットアップ（ＤＬＳ）を用いて送信元ＳＴＡと宛先ＳＴＡとの間で直接に送られることも可能である。独立ＢＳＳ（ｉＢＳＳ）モードにおけるＷＬＡＮは、ＡＰを全く有さず、ＳＴＡは、互いに直接に通信する。
【００３９】
８０２．１１媒体アクセス制御（ＭＡＣ）ヘッダ２０１の例が、図２のＭＡＣフレーム２００内に示される。本明細書で与えられる実施例において、ＷＴＲＵ１０２は、ＭＡＣフレームまたはＭＡＣヘッダを処理する、生成する、受信する、送信する、または、提供するＳＴＡとして構成され得る。ＭＡＣフレーム２００は、ＭＡＣヘッダ２０１、可変長フレームボディ２２０、または、フレームチェックシーケンス（ＦＣＳ）２２２から成ることが可能である。ＭＡＣヘッダ２０１は、フレーム制御フィールド２０２および持続時間／ＩＤフィールド２０４を有することが可能である。ＭＡＣヘッダ２０１は、フレームのタイプおよび他の特性に依存して、アドレス１フィールド２０６、アドレス２フィールド２０８、アドレス３フィールド２１０、および、アドレス４フィールド２１４をさらに有することが可能である。シーケンス制御情報フィールド２１２、サービス品質（ＱｏＳ）制御情報フィールド２１６、および／または、高スループット（ＨＴ）制御フィールド２１８が、ＭＡＣヘッダ２０１の一部であることも可能である。
【００４０】
フレーム制御フィールド２０２は、タイプ、サブタイプ、そのフレームが断片であるかどうか、保護されているかどうか、順序付けられているかどうかなどの、現在のＭＡＣフレームに関する情報を有し得る。持続時間／ＩＤフィールド２０４は、現在のＭＡＣフレームがそのフレームの後に続いて予約している媒体時間に関する情報を有し得る。ＰＳ−Ｐｏｌｌフレームにおいて、持続時間／ＩＤフィールド２０４は、ＳＴＡの関連付け識別子（ＡＩＤ）を示すのに使用され得る。
【００４１】
さらに、シーケンス制御情報フィールド２１２は、ＭＡＣフレーム２００のシーケンス番号またはフラグメンテーション番号に関する情報を有し得る。ＱｏＳ制御情報フィールド２１６は、ＱｏＳ関連パラメータを有し得る。ＨＴ制御フィールド２１８は、少なくとも２つの構成を有することが可能である。所望に応じて、それは、８０２．１１ｎ  ＳＴＡに関するＨＴ制御情報のＨＴバージョンを包含することが可能であり、または、それは、８０２．１１ａｃ  ＳＴＡに関するＨＴ制御情報の超ＨＴ（ＶＨＴ）バージョンを包含することも可能である。
【００４２】
さらに、ＭＡＣフレーム２００の可変長フレームボディ２２０が、フレームタイプまたはフレームサブタイプに特有の情報を包含することが可能である。ＦＣＳ２２２は、所望に応じて、米国電気電子学会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）（ＩＥＥＥ）３２ビット巡回冗長検査（ＣＲＣ）または類似した誤り訂正情報を包含することが可能である。後方互換性が望ましいことにより、図２に示されるＭＡＣヘッダ２００の変更は、新たなフィールドの追加、ならびに、既存のビットおよびフィールドの再解釈に限定され得る。
【００４３】
ＭＡＣフレーム２００におけるオーバーヘッドは、アドレス４フィールド２１４、ＱｏＳ制御情報フィールド２１６、および、ＨＴ制御フィールド２１８が含められるかどうかに依存して、２４バイトから３６バイトまでの範囲内であり得るＭＡＣヘッダ２０１に由来し得る。オーバーヘッドは、２０バイトの送信要求（ＲＴＳ）、１４バイトの送信可（ＣＴＳ）、または、１４バイトの肯定応答（ＡＣＫ）を含むデータフレームに関するプロトコルオーバーヘッドであることも可能である。オーバーヘッドは、ショートＩＦＳ／分散ＩＦＳ／ポイント調整ＩＦＳ  ＳＩＦＳ／ＤＩＦＳ／ＰＩＦＳ、および、バックオフ時間などのフレーム間間隔（ＩＦＳ）を含むチャネルアクセスオーバーヘッドであることも可能である。
【００４４】
小さいサイズのパケットの場合、オーバーヘッドは、望ましくない可能性がある。例えば、３６バイトのＭＡＣヘッダを有する６４バイトを備えるインダストリアルプロセスオートメーションフレームは、３６％の望ましくないオーバーヘッドをもたらす。ＭＡＣヘッダ圧縮が、ＭＡＣフレームオーバヘッドを小さくするのに役立ち得る。ＭＡＣヘッダ圧縮は、双方向ネゴシエーションを介してもたらされることが可能である。ＭＡＣヘッダ圧縮は、ＭＡＣヘッダの選択されたフィールドを小さくすることによってもたらされることも可能である。ヘッダ圧縮は、アドレス２フィールド２０８に関するＭＡＣアドレスの代わりに、関連付け識別子（ＡＩＤ）を使用することによって、８０２．１１ａｈにおいて与えられるとおり、小さいデータパケットに関するＭＡＣヘッダ設計を提供することも可能である。
【００４５】
各データフレームに関して、ＭＡＣヘッダ、プロトコルフレーム、およびチャネルアクセス時間が寄与するＭＡＣレベルオーバーヘッドが存在する。高いデータレートおよび大きいデータパケットサイズの場合、ＭＡＣオーバーヘッドのパーセンテージは、許容できる可能性がある。しかし、前段で説明されたとおり、小さいデータパケットまたはペイロードが、８０２．１１ａｈにおける通常のトラフィックであり得る。そのような小さいデータパケットの場合、ＭＡＣヘッダ、プロトコルフレーム、および、チャネルアクセス時間は、通信時間（ａｉｒ  ｔｉｍｅ）の容認できないほど大きなパーセンテージを占めて、８０２．１１ａｈに関する全体的なＭＡＣ効率またはスループットを低下させる可能性がある。
【００４６】
本明細書で説明されるのは、８０２．１１ａｈパケット伝送、８０２パケット伝送、または他のパケット伝送におけるオーバーヘッドを小さくすることができる例示的なＭＡＣヘッダである。８０２．１１ａｈデバイスは、他のレガシーデバイスが全く動作しない１ＧＨｚ未満のスペクトルで動作するので、ＭＡＣヘッダ後方互換性の必要性は全くない可能性がある。このＭＡＣヘッダは、任意の有線通信システムまたは無線通信システムのために使用されることも可能である。
【００４７】
図３は、８０２．１１ａｈ  ＭＡＣフレームなどのＭＡＣフレーム３００の例を示す。ＭＡＣフレーム３００のＭＡＣヘッダ３０１の中に包含されるフィールドは、オプションフィールド３０２の中で指定される情報に依存し得る。特定の特徴、例えば、アドレス３フィールド３１４またはアドレス４フィールド３１８に関する個々の仕様、または伝送機会（ＴＸＯＰ）制限／要求が含められるかどうかが、オプションフィールド３０２の中の情報によって決定され得る。オプションフィールド３０２、またはオプションフィールド３０２の要素のサブセット、もしくはそれらの要素の複数のサブセットが、フレーム制御フィールド３０６、シーケンス制御フィールド３１６などの既存のフィールドのサブフィールドまたは複数のサブフィールドとして実装されることが可能である。オプションフィールド３０２は、ＭＡＣヘッダまたは物理層コンバージェンス手順（ＰＬＣＰ）ヘッダの中の全く新たなフィールドのサブフィールドまたは複数のサブフィールドであることも可能である。同様に、後段で説明される各フィールド、または、その要素のサブセットまたはそれらの要素の複数のサブセットが、ＭＡＣヘッダまたはＰＬＣＰヘッダの中の既存のフィールドまたは新たなフィールドのサブフィールドまたは複数のサブフィールドとして実装されることも可能である。
【００４８】
ＭＡＣヘッダ３０１の中に包含されるフィールドは、長さフィールド３０４、フレーム制御フィールド３０６、持続時間フィールド３０８、アドレス１〜４フィールド（または３１０、３１２、３１４、および３１８）、シーケンス制御フィールド３１６、ＱｏＳ制御フィールド３２０、ＶＨＴ制御フィールド３２２、または、ＣＲＣ／ＦＣＳフィールド３２４をさらに含むことが可能である。オプションフィールド３０２は、与えられるＭＡＣヘッダの中に包含されるオプション的なフィールドを示すことが可能である。長さフィールドは、受信機が現在のＭＡＣヘッダの長さを特定するように、オプションフィールド３０２とは別個に、または、オプションフィールド３０２と併せて、ＭＡＣフレームの中に含められることが可能である。
【００４９】
さらに、フレーム制御フィールド３０６は、簡略化されたフレーム制御フィールドであり得る。持続時間フィールド３０８は、媒体予約を示す８ビットフィールドであり得る。アドレス１フィールド３１０およびアドレス２フィールド３１２は、フレームの送信機および受信機を示すのに使用され得る。アドレス３フィールド３１４およびアドレス４フィールド３１８は、オプションフィールド３０２の中で示される情報に基づいて含められることが可能である。シーケンス制御フィールド３１６は、簡略化されたシーケンス制御フィールドであり得る。
【００５０】
ＱｏＳ制御フィールド３２０は、ＱｏＳ制御に関する情報を包含することが可能である。ＱｏＳ制御フィールド３２０の長さは、オプションフィールド３０２によって示される特徴に依存し得る。ＶＨＴ制御フィールド３２２は、ＶＨＴ制御特有の情報を有することが可能であり、それの長さは、オプションフィールド３０２によって示される特徴に依存する。ＣＲＣ／ＦＣＳフィールド３２４またはＦＣＳフィールド３２８は、受信機が、ＭＡＣフレームボディ３２６の残りの部分を復号するのに先立って、ＭＡＣヘッダの完全性を検査することができるように、ＭＡＣヘッダの中に含められることが可能である。
【００５１】
図４は、例示的なオプションフィールド４００を示す。オプションフィールド４００は、現在のフレーム内にあることが可能なＭＡＣヘッダの特定のバージョンを示すことが可能である。アドレス３インジケーションフィールド４０２は、１つまたは複数のビットを使用して、アドレス３フィールド３１４がＭＡＣヘッダの中に含められるかどうかを示すことが可能である。代替として、アドレス３インジケーションフィールド４０２の存在または欠如は、ＣＲＣマスキング、スクランブラ開始シード値、信号（ＳＩＧ）フィールド内の相対位相変化、または、ＰＬＣＰヘッダ内のパイロット値またはパターンなどの他の方法によって示されることも可能である。
【００５２】
アドレス４インジケーションフィールド４０４は、１つまたは複数のビットを使用して、アドレス４フィールド３１８がＭＡＣヘッダの中に含められるかどうかを示すことが可能である。代替として、アドレス４フィールド３１８の存在または欠如は、ＣＲＣマスキング、スクランブラ開始シード値、ＳＩＧフィールド内の相対位相変化、または、ＰＬＣＰヘッダ内のパイロット値またはパターンなどの他の方法によって示されることも可能である。アドレス４フィールド３１８が存在しないことは、アドレス３フィールド３１４が存在しないことによって暗黙に示されてもよい。
【００５３】
持続時間オプションフィールド４０６は、持続時間フィールド３０８のオプションフィールドであり得る。例えば、持続時間オプションフィールド４０６は、少なくとも２ビットであることが可能であり、ただし、「００」は、持続時間フィールド３０８内で使用される時間単位が１０マイクロ秒であることを示すことが可能であり、「０１」は、時間単位が２０マイクロ秒であることを示すことが可能であり、「１０」は、時間単位が３０マイクロ秒であることを示すことが可能であり、および、「１１」は、時間単位が４０マイクロ秒であることを示すことが可能である。様々な持続時間オプションを使用することによって、持続時間フィールド３０８は、８ビットでありながら、それでも、広い範囲の持続時間を表すのに使用されることが可能である。時間単位を指定する持続時間オプションと、時間単位の乗数を指定する別のサブフィールドのこの組み合わせが、任意のタイプの時間間隔の持続時間を示す他のタイプのフィールドに適用されることが可能である。
【００５４】
フラグメンテーションフィールド４０８は、現在のフレームが、より大きいフレームのフラグメンテーション／複数のフラグメンテーションを包含するかどうかを示す。それは、例えば、シーケンス制御フィールド３１６を解釈する際のＳＴＡの動きを決定する、または、ＳＴＡの動きに影響を与える可能性がある。さらに、フラグメンテーションインジケーションが、シーケンス制御フィールド３１６を解釈する際のＳＴＡの動きに影響を与える可能性がある。フラグメンテーションフィールド４０８は、１つまたは複数のビットを使用して、現在のフレームが、より大きいフレームのフラグメンテーション／複数のフラグメンテーションを包含するかどうかを示すことが可能である。代替として、同一の情報は、ＣＲＣマスキング、スクランブラ開始シード値、ＳＩＧフィールド内の相対位相変化、または、ＰＬＣＰヘッダ内のパイロット値またはパターンなどの他の方法によって示されることも可能である。
【００５５】
ＴＸＯＰフィールド４１０は、１ビットフィールドであることが可能であり、さらにＱｏＳ制御フィールド３２０が長さ１バイトであり得るかまたは２バイトであり得るかを示すことが可能である。ＴＸＯＰフィールド４１０が、１という値を有する場合、ＱｏＳ制御フィールド３２０は、２バイト長であることが可能であり、さらに２番目のバイトは、ＴＸＯＰ制限、ＴＸＯＰ要求、または、キュー状態を包含することが可能である。ＴＸＯＰフィールド４１０が、０という値を有し、さらにタイプおよびサブタイプが、ＴＸＯＰ制限またはＴＸＯＰ要求がＱｏＳ制御フィールド３２０の中に包含されているべきことを示す場合、ＴＸＯＰビット＝０を受信することの効果は、ＴＸＯＰ制限＝０またはＴＸＯＰ要求＝０と同様であり得る。
【００５６】
ＶＨＴ制御ビット４１２は、ＶＨＴ制御フィールド３２２のオプションを示すのに使用される１つまたは複数のビットであり得る。例えば、ＶＨＴ制御ビットは、ＶＨＴ制御フィールド３２２が、センサまたはメータのような低能力ＳＴＡなどの場合に、ＭＡＣヘッダの中に含められていないことを示すのに使用され得る。ＶＨＴ制御ビット４１２は、ＶＨＴ制御フィールド３２２の中に含められている変調符号化スキーム（ＭＣＳ）フィードバック（ＭＦＢ）サブフィールドが存在せず、したがって、ＭＡＣヘッダの長さを２バイトだけ短くすることが可能であることを示すのに使用されることも可能である。
【００５７】
ＭＡＣヘッダ（ＭＨ）オプションフィールド４１４は、いくつかのタイプの圧縮されたまたは短いＭＡＣヘッダに関するネゴシエーションを使用するＭＡＣヘッダのさらなる短縮を示すことが可能なフィールドである。ＭＨオプションフィールド４１４は、ＭＡＣヘッダまたはＭＡＣフレームのタイプを示すのに使用され得る。例えば、ＳＴＡのペアは、互いにネゴシエートして、それらが、互いに通信する際にいくつかのタイプのＭＡＣヘッダを使用できること、異なるタイプのＭＡＣヘッダが、異なるトラフィックストリーム、ＱｏＳオプション、異なるレベルの圧縮、ＭＡＣヘッダ内のフィールドまたはサブフィールド、および、ＭＡＣフレーム内の他のフィールドの異なる値に関連付けられることなどに合意することが可能である。ＭＨオプションフィールド４１４は、ＣＲＣマスキング、スクランブラ開始シード値、ＳＩＧフィールド内の相対位相変化、または、ＰＬＣＰヘッダ内のパイロット値またはパターンなどの他の方法によって示されることも可能である。
【００５８】
図４をさらに参照すると、オプションフィールド３０２または４００が、ビットのシーケンスとして実装されて、１つまたは複数のビットが、ビットマップなどの、ＭＡＣヘッダの中に含められ得る様々なフィールドを示すことが可能である。オプションフィールド３０２または４００の要素の任意のサブセットが、フレーム制御フィールド３０６、シーケンス制御フィールド３１６などの他の既存のフィールドのサブフィールドまたは複数のサブフィールドとして実装されることが可能である。オプションフィールド３０２または４００の要素の任意のサブセットが、ＭＡＣヘッダ内またはＰＬＣＰヘッダ内の全く新たなフィールドのサブフィールドまたは複数のサブフィールドであることも可能である。
【００５９】
さらに、オプションフィールド３０２または４００の要素の任意のサブセットが、サブフィールドの組み合わせ、複数の新たなサブフィールド、または、ＭＡＣヘッダおよびＰＬＣＰヘッダからの他の既存のフィールドとして実装されることも可能である。例えば、１つまたは複数のビットが、ＰＬＣＰヘッダの中で使用されて（ＣＲＣマスキング、スクランブラ開始シード値、ＳＩＧフィールド内の相対位相変化、または、ＰＬＣＰヘッダ内のパイロット値またはパターンなどの他の方法が使用されることも可能である）、使用されるＭＡＣヘッダが短いＭＡＣヘッダ、または、特定のタイプの短いＭＡＣヘッダであることを示すことが可能である。
【００６０】
さらに、フレーム制御フィールド３０６またはシーケンス制御フィールド３１６または新たに定義されたフィールドなどのＭＡＣヘッダ自体の中の１つまたは複数のフィールドまたはサブフィールドが、短いフレームヘッダのタイプを示すことが可能である。例えば、フレーム制御フィールド３０６内のタイプおよびサブタイプフィールドが、短いＭＡＣヘッダの１つまたは複数のタイプを示すのに使用されることが可能である。別の実施例において、フレーム制御フィールド３０６内の予約された１つまたは複数のビットが、１つまたは複数の短いＭＡＣヘッダタイプを示すのに使用されることが可能である。
【００６１】
別の実施例において、１つのタイプの短いＭＡＣヘッダが、特定のＷｉ−Ｆｉ／無線標準に関する、または、特定のＡＰもしくはＢＳＳに関するデフォルトとみなされることが可能である（例えば、そのようなデフォルトの短いＭＡＣフレームが、ＡＰによって送信されるビーコン、短いビーコン、プローブ応答、関連付け応答フレーム、または、他のタイプの管理フレームまたは制御フレームまたはその他のタイプのフレームの中に含められることが可能である）。フレーム制御フィールド３０６、シーケンス制御フィールド３１６などのＰＬＣＰヘッダ内またはＭＡＣヘッダ内の１つまたは複数のビットが、使用される短いＭＡＣヘッダが、デフォルトのものとは異なるタイプの短いＭＡＣヘッダであることを示すのに使用され得る。このことは、ＣＲＣマスキング、スクランブラ開始シード値、ＳＩＧフィールド内の相対位相変化、または、ＰＬＣＰヘッダ内のパイロット値またはパターンまたはＳＩＧビット、ＳＩＧＡビット、ＳＩＧＢビットなどの他の方法によって示されることも可能である。
【００６２】
本明細書で説明されるのは、ＭＡＣヘッダ３０１に関するＳＴＡの動き、ＳＴＡ動作、または、ＳＴＡ構成である。送信ＳＴＡは、それがＭＡＣヘッダ３０１の中に含める情報に依存して、パケットのＭＡＣヘッダ内でオプションフィールド３０２または４００を構築することが可能である。代替として、オプションフィールド３０２または４００、またはオプションフィールド３０２または４００の任意のサブセットが、ＭＡＣヘッダ内またはＰＬＣＰヘッダ内の任意の既存のフィールドまたは新たなフィールドの一部分として構築され得る。
【００６３】
本明細書で説明されるのは、ＷＴＲＵ１０２などによる、ＭＡＣヘッダ３０１を扱うためのＳＴＡの動きである。送信ＳＴＡは、それがＭＡＣヘッダ３０１の中に含める情報に依存して、パケットのＭＡＣヘッダ３０１内でオプションフィールド３０２または４００を生成するように構成され得る。受信ＳＴＡはまず、オプションフィールド３０２または４００を復号すること、処理すること、読み取ることなどが可能である。オプションフィールド３０２または４００の中に包含される情報に従って、受信ＳＴＡは、ＭＡＣヘッダ３０１の残りの部分を復号することが可能である。例えば、受信ＳＴＡは、オプションフィールド３０２または４００が、アドレス３フィールドがＭＡＣヘッダ３０１の中に含められていることを示す場合、アドレス３フィールド３１４を復号することが可能である。受信ＳＴＡは、その後、本明細書で詳細に説明されるアドレスフィールドと関係する規則に従ってＭＡＣヘッダ３０１を解釈する。同様に、受信ＳＴＡは、オプションフィールド３０２または４００が、アドレス４フィールド３１４がＭＡＣヘッダ３０１の中に含められていることを示す場合、アドレス４フィールド３１８を復号することが可能である。受信ＳＴＡは、その後、本明細書で詳細に説明されるアドレスフィールドと関係する規則に従ってＭＡＣヘッダ３０１を解釈する。
【００６４】
別の実施例において、ＳＴＡが、ＰＬＣＰヘッダを使用して、現在受信されているパケットに関連付けられたＭＡＣヘッダ３０１が短いＭＡＣヘッダであるかどうか、および／または、いずれのタイプの短いＭＡＣヘッダであるかを判定することが可能である。短いＭＡＣヘッダの存在およびタイプに関する両方のインジケーションが、ＰＬＣＰヘッダを介して獲得された場合、そのＳＴＡは、指定された短いＭＡＣヘッダ定義に従ってそのＭＡＣヘッダを解釈することが可能である。ＰＬＣＰヘッダ内の短いＭＡＣヘッダの存在に関するインジケーションが、その短いＭＡＣヘッダのタイプのインジケーションなしに存在する場合、そのＳＴＡは、そのＭＡＣヘッダ自体を解釈して、いずれのタイプの短いＭＡＣヘッダが現在受信されているかについての情報を獲得することが可能である。短いＭＡＣヘッダのタイプが判定されると、その短いＭＡＣヘッダのフィールドが、相応するように解釈されることが可能である。
【００６５】
別の実施例において、短いＭＡＣヘッダがデフォルトと見なされる場合、ＳＴＡは、ＰＬＣＰヘッダ内またはＭＡＣヘッダ内のインジケーションに基づいて、現在のＭＡＣヘッダが別のタイプの短いＭＡＣヘッダであるかどうかを判定することが可能である。現在のＭＡＣヘッダがデフォルトの短いＭＡＣヘッダである場合、そのＳＴＡは、そのＭＡＣヘッダを、相応するように解釈することが可能である。デフォルトのタイプ以外の別のタイプの短いＭＡＣヘッダが検出された場合、そのＳＴＡは、指定された短いＭＡＣヘッダタイプに従ってその短いＭＡＣヘッダのフィールドを解釈することが可能である。
【００６６】
長さフィールド３０４が含められている場合、それは、ＭＡＣヘッダ３０１の長さを示すことが可能である。送信ＳＴＡが、ＭＡＣヘッダ３０１の全長または残りの部分の長さを計算することが可能であり、および、長さフィールド３０４の値をそのような長さに設定する。受信ＳＴＡは、その長さフィールド値を復号し、ＭＡＣヘッダがどれだけの長さであるかを知ることが可能であり、さらにそのＭＡＣヘッダおよびフレームボディフィールドを、相応するように復号することが可能である。
【００６７】
図５は、例示的なフレーム制御フィールド５００を示す。フレーム制御フィールド５００は、少なくとも１バイトであることが可能である。フレーム制御フィールド５００は、ＭＡＣフレームのタイプおよびサブタイプを示すのに使用され得るタイプフィールド５０２およびサブタイプフィールド５０４を有することが可能である。タイプフィールド５０２およびサブタイプフィールド５０４は、８０２．１１標準において指定されるのと同様に解釈され得る。タイプフィールド５０２およびサブタイプフィールド５０４に加えて、少なくとも１ビットが、フィールド５０６において、送信ＳＴＡが省電力状態に入っていることを示すのに使用され得る。フレーム制御フィールド５００内の少なくとも別のビットが、フィールド５０８において、そのＭＡＣフレームが保護されたフレームであることを示すのに使用され得る。
【００６８】
別の実施例において、すべての８０２．１１ａｈ  ＳＴＡが後方互換性課題を有するわけではない可能性があるので、フレームはすべて、保護されたフレームであることが可能であり、さらにＭＡＣフレームが保護されたフレームであることを示すのに使用されるビットは、代わりに、「さらなるデータ」用であることが可能である。さらなるデータは、送信ＳＴＡが、受信ＳＴＡのためのバッファリングされたさらなるデータを有することを示すことが可能である。
【００６９】
さらに、ＤＳが配信システムである場合、フレーム制御フィールド５００内に「Ｔｏ  ＤＳ」ビットおよび「Ｆｒｏｍ  ＤＳ」ビットは存在しない。実施例において、「Ｔｏ  ＤＳ」ビットおよび「Ｆｒｏｍ  ＤＳ」ビットを利用するアドレス指定スキームが、再設計されることが可能であり、アドレスフィールドを議論する際に本明細書で説明される。しかし、オプションフィールド４００は、他の任意のＭＡＣヘッダフィールドまたはＰＬＣＰヘッダフィールドのサブフィールドとして実施され得るので、「Ｔｏ  ＤＳ」ビットおよび「Ｆｒｏｍ  ＤＳ」ビットは、フレーム制御フィールド５００の一部であり得るとともに、アドレス指定スキームに関する可能なインジケーションであり得る。
【００７０】
図３を再び参照すると、持続時間フィールド３０８が、送信ＳＴＡによって、現在のＭＡＣパケットが、ＭＡＣパケットの終わりにおいて開始を行っている媒体予約時間を示すのに使用されることが可能である。持続時間フィールド３０８は、１バイトから成ることが可能であり、持続時間オプションフィールド４０６と一緒になって、１バイト長の持続時間フィールド３０８は、任意の媒体予約持続時間の適切な範囲をもたらし得る。
【００７１】
ＷＴＲＵ１０２などの送信ＳＴＡが、それがＭＡＣヘッダ３０１の中に８０２．１１標準において説明される規則に従って含める、媒体予約時間を決定することが可能である。決定された媒体予約時間がＴであるものと想定すると、持続時間フィールド３０８の中の値は、以下のとおり計算され得る。合意された持続時間時間単位が、例えば、ＴＵ１＝１０マイクロ秒、ＴＵ２＝２０マイクロ秒、ＴＵ３＝３０マイクロ秒、または、ＴＵ４＝４０マイクロ秒であるものと想定すると、オプションフィールド４００内で持続時間オプションフィールド４０６のために少なくとも２ビットが使用される場合、
Ｆｏｒ  ｉ＝１：４                                        式（１）
ｉｆ  Ｔ／ＴＵｉ＜２５６
ＴＤＦ＝ｃｅｉｌｉｎｇ［Ｔ／ＴＵｉ］
ＴＵ＝ＴＵｉ
Ｂｒｅａｋ  ｌｏｏｐ
Ｅｎｄ
Ｅｎｄ
【００７２】
持続時間フィールドＴＤＦおよび持続時間時間単位ＴＵの値は、ただし、ｃｅｉｌｉｎｇ［Ａ］関数は、任意の数ＡをＡ以上の最も近い整数に四捨五入する関数である。持続時間フィールド３０８の値は、ＴＤＦに設定され得る。オプションフィールド３０２または４００の中の持続時間オプションフィールド４０６の値は、タイミング単位ＴＵに関連付けられた値に設定され得る。例えば、ＴＵ＝３０マイクロ秒である場合、持続時間オプション値は、「１０」であり得る。
【００７３】
受信ＳＴＡが、パケットを受信して、持続時間フィールド３０８内で０でない値を復号した場合、それは、次に、それのＮＡＶカウンタをＮＡＶ＝ＴＤＦ×ＴＵに設定することが可能であり、ただし、ＴＵは、オプションフィールド３０２または４００の中の持続時間オプションビットに包含される値に関連付けられることが可能である。
【００７４】
省電力（ＰＳ）−Ｐｏｌｌフレームにおいて、持続時間フィールドは、ＡＩＤのインジケーションとして機能しない。ＰＳ−Ｐｏｌｌを受信するＡＰは、単に送信機アドレス（ＴＡ）フィールドを評価して、そのＳＴＡのためにバッファリングされたパケットが存在するかどうかを探し、相応するように応答することが可能である。持続時間フィールド３０８は、ＰＳ−Ｐｏｌｌフレームから省かれる、または、除去されることが可能である。
【００７５】
別の実施例において、シーケンス制御フィールド３１６が、小さくされることが可能であり、わずか８ビットから成ることが可能である。シーケンス制御フィールド３１６の値は、ＭＡＣサービスデータユニット（ＭＳＤＵ）のシーケンス番号、集約ＭＳＤＵ（Ａ−ＭＳＤＵ）、および、ＭＡＣ管理プロトコルデータユニット（ＭＭＰＤＵ）を示す。このフィールドは、フラグメンテーションがＭＡＣフレーム３００に適用された場合、フラグメンテーション番号を包含することも可能である。
【００７６】
ＷＴＲＵ１０２などの送信ＳＴＡが、ＭＳＤＵ、Ａ−ＭＳＤＵ、および、ＭＭＰＤＵにシーケンス番号を割り当てることが可能である。このシーケンス番号は、モジュロ２８番号であり得る。ＭＳＤＵまたはＭＭＰＤＵが、送信ＳＴＡによって断片化される場合、送信ＳＴＡは、以下の動作を実行することが可能である。そのＳＴＡは、ビットの番号、例えば、シーケンス制御フィールド３１６の４ＬＳＢビットの番号を、ＭＳＤＵまたはＭＭＰＤＵのシーケンス番号の４ＬＳＢに設定することが可能である。そのＳＴＡは、ビットの番号、例えば、シーケンス制御フィールド３１６の４ＭＳＢを、フレームフラグメントの完全なフラグメント番号または部分的フラグメント番号に設定することが可能である。そのＳＴＡは、オプションフィールド３０２または４００の中のフラグメンテーションビットを「１」に設定して、現在のフレームがＭＳＤＵまたはＭＭＰＤＵの断片であることを示すことが可能である。そのＳＴＡは、フラグメント番号の特別な組み合わせ、例えば、「００００」を使用して、現在の断片が、断片化されたＭＳＤＵまたはＭＭＰＤＵの最後の断片であることを示すことが可能である。
【００７７】
ＭＡＣフレームボディ３２６が、ＭＳＤＵ、ＭＭＰＤＵ、または、他のタイプのフレームのフラグメンテーションではなく、完全なパケットを包含する場合、ＷＴＲＵ１０２などの送信ＳＴＡは、シーケンス制御フィールド３１６全体を、関連するＭＳＤＵまたはＭＭＰＤＵまたは他のタイプのフレームのシーケンス番号に設定することが可能である。
【００７８】
ＷＴＲＵ１０２などの受信ＳＴＡが、以下を行うように構成されることが可能である。そのＳＴＡは、少なくとも１フラグメンテーションビットが、オプションフィールド３０２または４００の中で、または、他の方法によって設定されているかどうかを評価することが可能である。フラグメンテーションビットが、設定されている、または、それ以外で示されている場合、その受信ＳＴＡは、シーケンス制御フィールド３１６を、フラグメント番号と部分的シーケンス番号の組み合わせとして解釈することが可能である。フラグメンテーションビットが、設定されておらず、それ以外で示されてもいない場合、その受信ＳＴＡは、シーケンス制御フィールド３１６を、例えば、モジュロ２８シーケンス番号として解釈することが可能である。その受信ＳＴＡは、そのシーケンス番号または部分的シーケンス番号を、それが、断片化されたＭＳＤＵまたはＭＭＰＤＵ、および、ＴＡフィールド値に関する場合、同一の送信ＳＴＡから受信されたパケットのレコードと比較して、現在のＭＡＣフレームが重複であるかどうかを判定することが可能である。重複パケットが検出された場合、そのフレームは、肯定応答が行われて、または、ブロック肯定応答が行われて、その後、破棄されることが可能である。
【００７９】
前述したとおり、ＭＡＣヘッダ３０１は、４つまでのアドレスフィールドを包含することが可能である。ＭＡＣヘッダ３０１の中に包含されるアドレスフィールドの数は、オプションフィールド３０２または４００の中のアドレス３インジケーションフィールド４０２またはアドレス４インジケーションフィールド４０４における少なくとも２ビットによって示され得る。データフレーム以外のＭＡＣフレーム内で、アドレス４ビットが、アドレス４フィールド３１８が存在しないことを示す「０」に設定されることが可能である。同様に、アドレス３ビットが、アドレス３フィールド３１４が存在するかどうかを示すのに使用されることが可能である。データフレーム内で、オプションフィールド３０２または４００の中のアドレス３ビットおよびアドレス４ビットが、フレーム制御フィールド３０６における「Ｔｏ  ＤＳ」ビットおよび「Ｆｒｏｍ  ＤＳ」ビットとして同様に使用されることが可能である。アドレス３フィールド３１４およびアドレス４フィールド３１８は、ＭＡＣアドレス、関連付け識別子（ＡＩＤ）、圧縮されたＳＳＩＤ、または、ＡＰとＳＴＡが合意することが可能な他の任意のアドレスタイプとして表現されることが可能である。
【００８０】
アドレス１フィールド３１０は、個別のアドレスまたはグループアドレスであることが可能な受信アドレスのアドレスを包含することが可能である。アドレス１フィールド３１０またはアドレス２フィールド３１２が、ＢＳＳＩＤでもある、ＡＰにおけるＳＴＡのアドレスを包含する場合、ＢＳＳＩＤにおける個別／グループビットが、現在のＭＡＣフレームがＤＳに伝送されるか、または、ＤＳから伝送されるかを示すのに使用され得る。
【００８１】
８０２．１１ａｃにおいて、個別／グループビットが、送信機アドレス（ＴＡ）フィールド内で、「シグナリングＴＡ」を示すために、または、スクランブラ開始シードがＲＴＳなどのＭＡＣフレームに関する帯域幅モードを示すのに使用されることを示すために使用され得る。しかし、８０２．１１ａｈ  ＳＴＡは、後方互換性問題を有さない可能性があるので、スクランブラ開始シードは、帯域幅モードを常に包含することが可能である。例えば、受信されたＭＡＣフレームが、サブタイプＲＴＳのものである場合、受信ＳＴＡは、スクランブラ開始シードを検査して、ＲＴＳが通信のための媒体を予約している正しい動作モードを検出することが可能である。
【００８２】
ＱｏＳを再び参照すると、データフレーム内のＱｏＳ制御フィールド３２０の存在が、そのデータフレームのサブタイプフィールドによって示されることが可能である。オプションフィールド３０２または４００の中のＴＸＯＰビットが、ＱｏＳ制御フィールド３２０の長さを示すことが可能である。４つのアクセスカテゴリ（ＡＣ）、すなわち、ＡＣ−ＶＯ（音声）、ＡＣ−ＶＩ（ビデオ）、ＡＣ−ＢＥ（ベストエフォート）、および、ＡＣ−ＢＫ（バックグラウンド）が、８０２．１１ｘデバイスのために使用され得る。しかし、８０２．１１ａｈトラフィックとよりうまく関係する、メータまたはセンサなどの８０２．１１ａｈデバイスのためのさらなるアクセスカテゴリを有することが望ましい可能性がある。
【００８３】
センサＳＴＡまたはメータＳＴＡのパフォーマンスを強化することが可能なさらなるアクセスカテゴリ（ＡＣ）が、音声に関するＡＣ＿ＶＯ、ビデオに関するＡＣ＿Ｖｉ、定期的な報告（例えば、温度測定、湿度測定など）に関するＡＣ＿ＢＥ、より高い優先度の報告（例えば、デバイスが電池切れを起こしている、センサ読み取り値が事前設定されたしきい値に近づいているなど）に関するＡＣ＿ＥＰであり得る。その他のＡＣが、緊急事態（例えば、侵入者検出、火災検出など）に関するＡＣ＿ＥＧ、および、非常警報（患者心臓発作、危険なガス漏れなど）に関するＡＣ＿ＲＡであり得る。これらのＡＣは、ＱｏＳ制御フィールド３２０内のトラフィック識別子（ＴＩＤ）サブフィールドの中で符号化されて、示されることが可能である。  
【００８４】
ＱｏＳ制御フィールド３２０は、ＴＸＯＰ要求、ＴＸＯＰ制限、キューサイズ、または、ＡＰ  ＰＳバッファ状態を示すように予約されるまたは使用される８ビットを使用することが可能である。送信ＳＴＡの場合、それが、ＴＸＯＰ制限のためにも、ＴＸＯＰ要求のためにも、キューサイズのためにも、ＡＰ  ＰＳバッファ状態のためにもその８ビットを使用することなしにＱｏＳフレームを送信する場合、それは、オプションフィールドにおける少なくとも１つのＴＸＯＰビットを「０」に設定すること、および／または、ＱｏＳ制御フィールド３２０の中にビット０〜７を含めることおよびビット８〜１５を飛ばすことが可能である。ＷＴＲＵ１０２などの送信局は、それ以外で、オプションフィールド３０２または４００におけるＴＸＯＰビットを「１」に設定し、さらにＱｏＳ制御フィールド３２０の中にビット０〜１５を含めることが可能である。メッシュＳＴＡは、ＱｏＳデータフレームを送信する際、ＱｏＳ制御フィールド３２０の中にビット０〜１５を含める。
【００８５】
受信ＳＴＡに関して、オプションフィールド３０２または４０２におけるＴＸＯＰビットが０である場合、受信ＳＴＡは、ＱｏＳ制御フィールド３２０を、ＴＸＯＰ制限、ＴＸＯＰ要求、ＡＰ  ＰＳバッファ状態、および、キューサイズを指定するビット７〜１５を伴わない８ビットの長さとして解釈することが可能である。オプションフィールド３０２または４００におけるＴＸＯＰビットは、１であり、受信ＳＴＡは、ＱｏＳ制御フィールド３２０を１６ビットの長さとして解釈することが可能である。
【００８６】
８０２．１１ａｈデバイスは、後方互換性問題を有さない可能性があるので、それらは、８０２．１１ａｈが８０２．１１ａｃのダウンクロックされたバージョンであるため、ＶＨＴ制御フィールド３２２をそれらのＭＡＣヘッダの中に含めることが可能である。ＶＨＴ制御フィールド３２２は、最大で４バイトから成ることが可能である。
【００８７】
送信ＳＴＡに関して、送信ＳＴＡがＶＨＴ能力を有する場合、それは、４バイト長の完全サイズのＶＨＴ制御フィールド３２２を含めて、オプションフィールド３０２または４００の中にそのように示すことが可能である。ＳＴＡは、４バイト未満の長さの部分サイズのＶＨＴ制御フィールド３２２を含めて、オプションフィールド３０２または４００の中にそのように示すことも可能である。例えば、送信ＳＴＡは、オプションフィールド３０２または４００の中で、ビット１（現在、予約されている）およびビット９〜２３（ＭＦＢサブフィールド）を伴わず、事実上、ＶＨＴ制御フィールド３２２から２バイトを短縮した、２バイト長のＶＨＴ制御フィールド３２２が含められていることを示すことが可能である。
【００８８】
ＷＴＲＵ１０２などの受信ＳＴＡの場合、それはまず、オプションフィールド３０２または４００におけるＶＨＴ制御ビットを評価し、さらに指定されたオプションに応じてＭＡＣヘッダ３０１のＶＨＴ制御フィールド３２２を解釈することが可能である。
【００８９】
ＭＡＣヘッダ３０１は、そのＭＡＣヘッダに関する誤り検出（ＥＤ）コードまたは誤り訂正（ＥＣ）コードを包含することが可能である。ＥＤコードフィールドまたはＥＣコードフィールドは、ＣＲＣまたはＦＣＳとして実装され得る。ＣＲＣ／ＦＣＳフィールド３２４が、ＭＡＣヘッダ３０１が正しく受信されたかどうかを独立して検証するのに使用されることが可能である。
【００９０】
受信ＳＴＡが、ＭＡＣヘッダ３０１を受信すると、ＭＡＣフレームの残りの部分を受信している間、そのＳＴＡは、ＭＡＣヘッダ部分を復号し、受信されたＭＡＣヘッダの完全性を検証することが可能である。ＭＡＣヘッダ３０１が正しく受信された場合、そのＳＴＡは、ＭＡＣフレーム３００がそれを宛先としているかどうかを見出すことができる。正しく受信されなかった場合、そのＳＴＡは、オプションフィールド３０２または４００の中の持続時間フィールド３０８における値、および、持続時間オプション４０６ビットにおける値に従って、それのＮＡＶを設定することを選択することができる。そのＳＴＡは、その後、省電力のためにドーズ（ｄｏｚｅ）状態に入ることが可能であり、さらにＮＡＶの終わりまでウェイクアップする（ｗａｋｅ  ｕｐ）ことが可能である。ＭＡＣフレーム３００が、そのＳＴＡ自体を宛先としている場合、ＳＴＡは、起動したままになり、ＭＡＣフレーム３００を復号することが可能である。
【００９１】
図６は、制御フレーム６００に関する例示的なＭＡＣヘッダである。フレーム制御フィールドまたはフレームタイプフィールド６０２は、８ビットから成ることが可能である。サブタイプフィールド６０４が含められることも可能である。送信ＳＴＡが、制御フレーム６００に関するＭＡＣヘッダの中で制御すべきタイプを設定し、さらに少なくとも１ビットを使用して、電力管理フィールド６０６の中で電力管理オプションを示すことが可能である。さらに、予約されたフィールド６０８が含められることも可能である。
【００９２】
データフレームに関する一般的なＭＡＣヘッダ設計は、図２に示される一般的な設計と同様であり得る。送信ＳＴＡは、ＭＡＣヘッダの中に含められるべきすべてのフィールドを選択して、前述の説明に従ってオプションフィールド３０２または４００の中でそれらを示すことが可能である。
【００９３】
ＷＴＲＵ１０２などの送信ＳＴＡは、表１に従って、データフレーム内のＭＡＣヘッダの中のアドレスフィールドの内容を設定することが可能である。データフレーム内で、送信ＳＴＡは、フレーム制御フィールド３０６において前段で定義された「Ｔｏ  ＤＳ」ビットおよび「Ｆｒｏｍ  ＤＳ」ビットを設定することに関するものと同様の規則に従って、オプションフィールド３０２または４００の中でアドレス３およびアドレス４に関する２ビットを設定することが可能である。
【００９４】
【表１】
0006014246.tif 000002
【００９５】
さらに、送信されたフレームがＡ−ＭＳＤＵである場合、送信ＳＴＡは、アドレス３ビットおよびアドレス４ビットが「０１」または「１０」という値を有する場合に、ＭＡＣヘッダ３０１の中にアドレス３フィールド３１４を含めないことを選択することが可能である。このことは、アドレス１フィールド３１０またはアドレス２フィールド３１２の中にＢＳＳＩＤが既に含められていることの結果であり得る。送信ＳＴＡは、アドレス３ビットおよびアドレス４ビットが「１１」という値を有する場合、アドレス３フィールド３１４がＢＳＳＩＤを既に包含するので、アドレス４フィールド３１８を含めないことを選択することが可能である。ＳＴＡは、アドレス１フィールド３１０またはアドレス２フィールド３１２の中でＢＳＳＩＤにおいて個別／グループビットを「１」に設定して、そのデータフレームが、そのＢＳＳＩＤによって識別される特定のＢＳＳに向けられていることを示してもよい。
【００９６】
図７は、管理フレーム７００に関する例示的なＭＡＣヘッダを示す。管理フレーム７００内で、フィールド７０２〜７２４は、図３において説明されるものと同様である。送信ＳＴＡが、アドレス１フィールド７１０をＲＡ＝ＤＡに設定して、アドレス２フィールド７１２をＴＡ＝ＳＡに設定することが可能である。そのＳＴＡは、ＩＥＥＥ８０２．１１−２０１２標準において指定された規則に従って、アドレス３フィールド７１４をＢＳＳＩＤに設定することが可能であり、アドレス１フィールドまたはアドレス２フィールドが、ワイルドカードＢＳＳＩＤではないＢＳＳＩＤに設定される場合、その送信ＳＴＡは、アドレス３フィールド７１４を含めないことを選択すること、オプションフィールド７０２におけるアドレス３ビットを０に設定すること、または、アドレス１フィールドまたはアドレス２フィールドの中のＢＳＳＩＤにおける個別／グループビットを「１」に設定して、その管理フレーム７００が、そのＢＳＳＩＤによって識別される特定のＢＳＳに向けられていることを示すことが可能である。
【００９７】
図８は、ＭＡＣヘッダを有するＭＡＣフレームを受け取ることまたは供給することの例８００を示す。ＭＡＣフレームが、ＷＴＲＵによって受け取られる、または、供給される（８０２）。供給することは、ＷＴＲＵ１０２などによって、処理すること、生成すること、符号化すること、組み立てることなどであり得る。受け取ることは、ＷＴＲＵ１０２などによって、受け取ること、処理すること、復号すること、または分解することを意味し得る。ＷＴＲＵは、ＭＡＣヘッダタイプを決定し（８０４）、さらにＭＡＣヘッダの中の情報からＭＡＣフレームを受け取る、処理する、または、供給することが可能である（８０６）。
【００９８】
本明細書で説明されるのは、ＷＴＲＵ１０２またはアクセスポイント（ＡＰ）などのＳＴＡに関するＭＡＣヘッダ圧縮ネゴシエーションである。この実施例は、ネゴシエーションを介して、ＭＡＣレベルオーバーヘッドを小さくし、ＭＡＣヘッダ圧縮を行うことが可能である。ＭＡＣヘッダ圧縮に関して以下の２つのオプション、すなわち、送信ＳＴＡの能力および受信ＳＴＡの能力に適切であるとともに、送信されるパケットに関係があるＭＡＣヘッダの情報を送信すること、または、フレームごとに変わるＭＡＣヘッダの部分を送信し、かつフレームをまたいで一定のままである情報を送信しないこと、が存在し得る。ＭＡＣヘッダ圧縮に関して１度に１のオプションを行うこと、またはＭＡＣヘッダ圧縮に関して同時に両方のオプションを組み合わせることが可能であり得る。圧縮されたＭＡＣヘッダの内容は、ＡＰとＳＴＡによってネゴシエートされても、純粋にＡＰ主導であってもよい。
【００９９】
本明細書で説明されるのは、ＡＰによって告知されるＭＡＣヘッダ圧縮である。ＡＰによって告知されるＭＡＣヘッダ圧縮は、ＭＡＣヘッダ圧縮のオプション１、すなわち、送信ＳＴＡの能力および受信ＳＴＡの能力に適切であるとともに、送信されるパケットに関係があるＭＡＣヘッダの部分を送信することによってＭＡＣヘッダを圧縮すること、により適している可能性がある。ＡＰが、それのビーコン、短いビーコン、または、他の管理フレームまたは制御フレームの中で、ＭＡＣヘッダの内容に関するオプションを告知することが可能である。ＡＰが先頭に立つＢＳＳは、医療センサまたは温度センサのようなセンサから情報を収集するＢＳＳなどの特定のアプリケーションをサポートすることが可能である。
【０１００】
ＭＡＣヘッダの内容に関するオプションは、本明細書の前段で提示されたオプションフィールド３０２または４００と同様であり得る。ＡＰに関連付けられることを所望するすべてのＳＴＡが、そのＡＰによって必要とされ得るＭＡＣヘッダの形態を適応させることが可能である。ＭＡＣヘッダの内容は、管理フレーム、制御フレーム、データフレームなどのＭＡＣフレームに依存して、タイプごとに異なり得る。
【０１０１】
図９は、ＭＡＣヘッダ圧縮をネゴシエートすることの例９００を示す。ＡＰが、オプションフィールドまたはフレーム制御フィールドの中などの、ＭＡＣヘッダの内容に関するオプションを有する告知を送る（９０２）。告知が、局（ＳＴＡ）によって受信される（９０４）。ＡＰに関連付けられることを所望するＳＴＡが、そのＡＰと通信するようにそれらのＭＡＣヘッダの形態を適応させることが可能である（９０６）。
【０１０２】
本明細書で説明されるのは、ＳＴＡ主導のＭＡＣヘッダ圧縮である。ＳＴＡ主導のＭＡＣヘッダ圧縮は、ＭＡＣヘッダ圧縮のオプション２、すなわち、フレームごとに変わるＭＡＣヘッダの部分を送信し、かつフレームをまたいで一定のままである情報を送信しないことによってＭＡＣヘッダを圧縮すること、により適している可能性がある。この場合、ＳＴＡは、ＡＰ内部に常駐するＳＴＡであっても、非ＡＰ  ＳＴＡであってもよい。
【０１０３】
各ＳＴＡが、別のＳＴＡまたはＡＰと、少なくともいくつかのタイプのＭＡＣフレームを送受信するものと予期され得る。各タイプのＭＡＣフレームに関して、類似したパラメータ設定が、ネゴシエートされ、ＭＡＣ効率またはＭＡＣヘッダ圧縮のために受信ＳＴＡによって保存されることが可能である。例えば、ＳＴＡが、異なるいくつかのＡＣのデータフレームをＡＰに送信する場合、それは、それらの固定されるパラメータに関してＡＰとネゴシエートすることが可能である。
【０１０４】
例えば、そのＳＴＡが、一方は、ＡＣ＿ＶＩに関し、他方は、ＡＣ＿ＶＯに関する２つのトラフィックストリームを有することが可能である。そのＳＴＡは、それが異なる２つのタイプのＱｏＳ制御フィールド値を有することをＡＰとネゴシエートすることが可能である。ＡＣ＿ＶＯに関するトラフィックを送信する際、送信ＳＴＡは、そのフレームがＱｏＳ＿Ｔｙｐｅ１のものであることをＭＡＣヘッダの中で示すことが可能であり、ＡＰは、そのパケットを受信した後、それが、その送信ＳＴＡを相手に以前に確立しているＱｏＳ＿Ｔｙｐｅ２の保存されたパラメータを調べることが可能である。送信されるトラフィックがＡＣ＿ＶＩである場合、送信ＳＴＡは、そのフレームがＱｏＳ＿Ｔｙｐｅ２のものであることをＭＡＣヘッダの中で示すことが可能であり、ＡＰは、そのパケットを受信した後、それが、その送信ＳＴＡを相手に以前に確立しているＱｏＳ＿Ｔｙｐｅ２の保存されたパラメータを調べることが可能である。
【０１０５】
図１０は、ＭＡＣフレームを扱うことの例１０００を示す。ＭＡＣヘッダを有するＭＡＣフレームが、ＷＴＲＵによって受け取られる、または、供給される（１００２）。そのＭＡＣヘッダのオプションフィールドまたはフレーム制御フィールドが、存在する場合、読み取られ、復号され、または、処理される（１００４）。ＷＴＲＵは、その後、ＭＡＣヘッダの残りの部分の中にいずれのフィールドが存在するかを決定することが可能である（１００６）。その決定に基づいて、ＷＴＲＵは、ＭＡＣヘッダの後続のフィールドを読み取り、復号する（１００８）。ＷＴＲＵは、処理を必要とする残りのフィールドに関してそれらのステップを繰り返す（１０１０）。
【０１０６】
本明細書で説明されるソリューションは、８０２特定のプロトコルを考慮するものの、本明細書で説明されるソリューションは、このシナリオに限定されず、他の無線システムにも適用可能であるものと理解される。
【０１０７】
１．無線システム上でデータを送信するため／受信するために無線デバイスにおいて実施される方法であって、この方法は、以下を備える。すなわち、
オプションフィールドを有する媒体アクセス制御（ＭＡＣ）ヘッダを供給し、そのＭＡＣヘッダのフィールド構造は、そのオプションフィールドによって指定されること。
【０１０８】
２．ＭＡＣヘッダは、ＭＡＣヘッダの長さを特定する長さフィールドを含む実施形態１に記載の方法。
【０１０９】
３．長さフィールドは、オプションフィールドと併せて使用されて、ＭＡＣヘッダの長さを特定する実施形態１または実施形態２に記載の方法。
【０１１０】
４．ＭＡＣヘッダは、フレーム制御フィールドを含む実施形態１乃至３のいずれか一実施形態に記載の方法。
【０１１１】
５．ＭＡＣヘッダは、持続時間フィールドを含む実施形態１乃至４のいずれか一実施形態に記載の方法。
【０１１２】
６．ＭＡＣヘッダは、８ビット持続時間フィールドを含む実施形態１乃至５のいずれか一実施形態に記載の方法。
【０１１３】
７．ＭＡＣヘッダは、アドレス１フィールドを含む実施形態１乃至６のいずれか一実施形態に記載の方法。
【０１１４】
８．ＭＡＣヘッダは、アドレス２フィールドを含む実施形態１乃至７のいずれか一実施形態に記載の方法。
【０１１５】
９．ＭＡＣヘッダは、アドレス３フィールドを含む実施形態１乃至８のいずれか一実施形態に記載の方法。
【０１１６】
１０．ＭＡＣヘッダは、アドレス４フィールドを含む実施形態１乃至９のいずれか一実施形態に記載の方法。
【０１１７】
１１．ＭＡＣヘッダは、シーケンス制御フィールドを含む実施形態１乃至１０のいずれか一実施形態に記載の方法。
【０１１８】
１２．ＭＡＣヘッダは、サービス品質制御フィールドを含む実施形態１乃至１１のいずれか一実施形態に記載の方法。
【０１１９】
１３．ＭＡＣヘッダは、超高スループット制御フィールドを含む実施形態１乃至１２のいずれか一実施形態に記載の方法。
【０１２０】
１４．ＭＡＣヘッダは、巡回冗長検査／フレームチェックシーケンスフィールドを含む実施形態１乃至１３のいずれか一実施形態に記載の方法。
【０１２１】
１５．オプションフィールドは、アドレス３フィールド、アドレス４フィールド、持続時間オプションフィールド、フラグメンテーションフィールド、送信機会フィールド、超高スループット（ＶＨＴ）制御フィールド、またはＭＡＣヘッダオプションフィールドのうちの少なくとも１の存在を示す実施形態１乃至１４のいずれか一実施形態に記載の方法。
【０１２２】
１６．フラグメンテーションフィールドは、現在のフレームが、より大きいフレームの少なくとも１のフラグメンテーションを包含するかどうかを示す実施形態１乃至１５のいずれか一実施形態に記載の方法。
【０１２３】
１７．送信機会フィールドは、サービス品質制御フィールド長を特定する実施形態１乃至１６のいずれか一実施形態に記載の方法。
【０１２４】
１８．フレーム制御フィールドは、タイプフィールドと、サブタイプフィールドとを含む実施形態１乃至１７のいずれか一実施形態に記載の方法。
【０１２５】
１９．フレーム制御フィールドは、省電力状態フィールドを含む実施形態１乃至１８のいずれか一実施形態に記載の方法。
【０１２６】
２０．フレーム制御フィールドは、保護されたフレームフィールドを含む実施形態１乃至１９のいずれか一実施形態に記載の方法。
【０１２７】
２１．フレーム制御フィールドは、さらなるデータフィールドを含む実施形態１乃至２０のいずれか一実施形態に記載の方法。
【０１２８】
２２．シーケンス制御フィールドは、８ビットであり、さらにＭＡＣサービスデータユニット（ＭＳＤＵ）、集約ＭＳＤＵ（Ａ−ＭＳＤＵ）、またはＭＡＣ管理プロトコルデータユニット（ＭＭＰＤＵ）のうちの少なくとも１のシーケンス番号を示す実施形態１乃至２１のいずれか一実施形態に記載の方法。
【０１２９】
２３．シーケンス制御フィールドは、フラグメンテーションがＭＡＣフレームに適用されるという条件付きでフラグメンテーション番号を含む実施形態１乃至２２のいずれか一実施形態に記載の方法。
【０１３０】
２４．ＭＳＤＵまたはＭＭＰＤＵが、送信局によって断片化されるという条件付きで、送信局は、シーケンス制御フィールドのビットの番号をＭＳＤＵまたはＭＭＰＤＵのシーケンス番号に設定する実施形態１乃至２３のいずれか一実施形態に記載の方法。
【０１３１】
２５．ＭＳＤＵまたはＭＭＰＤＵが、送信局によって断片化されるという条件付きで、送信局は、シーケンス制御フィールドのビットの番号をフレームフラグメントのフラグメント番号に設定する実施形態１乃至２４のいずれか一実施形態に記載の方法。
【０１３２】
２６．ＭＳＤＵまたはＭＭＰＤＵが、送信局によって断片化されるという条件付きで、送信局は、オプションフィールドの中のフラグメンテーションビットを「１」に設定して、現在のフレームがＭＳＤＵまたはＭＭＰＤＵの断片であることを示す実施形態１乃至２５のいずれか一実施形態に記載の方法。
【０１３３】
２７．ＭＳＤＵまたはＭＭＰＤＵが、送信局によって断片化されるという条件付きで、送信局は、フラグメント番号の特別な組み合わせ使用して、現在の断片が、断片化されたＭＳＤＵまたはＭＭＰＤＵの最後の断片であることを示す実施形態１乃至２６のいずれか一実施形態に記載の方法。
【０１３４】
２８．受信局は、オプションフィールドの中のフラグメンテーションビットの設定を評価する実施形態１乃至２７のいずれか一実施形態に記載の方法。
【０１３５】
２９．フラグメンテーションビットが設定されているという条件付きで、受信局は、シーケンス制御フィールドをフラグメント番号と部分的シーケンス番号の組み合わせとして解釈する実施形態１乃至２８のいずれか一実施形態に記載の方法。
【０１３６】
３０．フラグメンテーションビットが設定されていないという条件付きで、受信局は、シーケンス制御フィールドをモジュロ２８シーケンス番号として解釈する実施形態１乃至２９のいずれか一実施形態に記載の方法。
【０１３７】
３１．受信局は、シーケンス番号または部分的シーケンス番号を、同一の送信局から受信されたパケットのレコードと比較して、現在のＭＡＣフレーム重複を評価する実施形態１乃至３０のいずれか一実施形態に記載の方法。
【０１３８】
３２．重複パケットが検出されたという条件付きで、フレームは、肯定応答が行われ、および、破棄されることが可能である実施形態１乃至３１のいずれか一実施形態に記載の方法。
【０１３９】
３３．アドレス１フィールドは、受信アドレスを包含する実施形態１乃至３２のいずれか一実施形態に記載の方法。
【０１４０】
３４．受信アドレスは、個別アドレスまたはグループアドレスのうちのいずれか１つである実施形態１乃至３３のいずれか一実施形態に記載の方法。
【０１４１】
３５．オプションフィールドにおける送信機会ビットは、サービス品質制御フィールドの長さを示す実施形態１乃至３４のいずれか一実施形態に記載の方法。
【０１４２】
３６．アクセスカテゴリは、音声に関するＡＣ＿ＶＯ、ビデオに関するＡＣ＿Ｖｉ、定期的な報告に関するＡＣ＿ＢＥ、より高い優先度の報告に関するＡＣ＿ＥＰ、緊急事態に関するＡＣ＿ＥＧ、または非常警報に関するＡＣ＿ＲＡのうちの少なくとも１を含む実施形態１乃至３５のいずれか一実施形態に記載の方法。
【０１４３】
３７．アクセスカテゴリは、符号化され、および、サービス品質制御フィールド内のトラフィック識別子（ＴＩＤ）サブフィールドの中で示される実施形態１乃至３６のいずれか一実施形態に記載の方法。
【０１４４】
３８．局がＶＨＴ能力を有するという条件付きで、局は、ＭＡＣヘッダの中に４バイトＶＨＴ制御フィールドを含める実施形態１乃至３７のいずれか一実施形態に記載の方法。
【０１４５】
３９．局がＶＨＴ能力を有するという条件付きで、局は、ＭＡＣヘッダの中に部分的ＶＨＴ制御フィールドを含める実施形態１乃至３８のいずれか一実施形態に記載の方法。
【０１４６】
４０．局が、ＭＡＣフレームがその局を宛先としてないと判定するという条件付きで、その局は、ネットワーク割り当てベクトル（ＮＡＶ）を、持続時間フィールドの中に存在する値に設定し、スリープ状態に入る実施形態１乃至３９のいずれか一実施形態に記載の方法。
【０１４７】
４１．局が、ＭＡＣフレームがその局を宛先としてないと判定するという条件付きで、その局は、ネットワーク割り当てベクトル（ＮＡＶ）を、持続時間フィールドおよび持続時間オプションフィールドの中に存在する値に設定し、スリープ状態に入る実施形態１乃至４０のいずれか一実施形態に記載の方法。
【０１４８】
４２．局は、ＮＡＶの終わりにウェイクアップする実施形態１乃至４１のいずれか一実施形態に記載の方法。
【０１４９】
４３．送信されるフレームがＡ−ＭＳＤＵであるという条件付きで、送信局は、アドレス３フィールドまたはアドレス４フィールドのうちの少なくとも１つを省く実施形態１乃至４２のいずれか一実施形態に記載の方法。
【０１５０】
４４．送信されるフレームがＡ−ＭＳＤＵであるという条件付きで、送信局は、アドレス１フィールドまたはアドレス２フィールドのうちの少なくとも１つの中の基本サービスセットＩＤ（ＢＳＳＩＤ）における個別／グループビットを、データフレームが特定のＢＳＳＩＤに向けられていることを示すように設定する実施形態１乃至４３のいずれか一実施形態に記載の方法。
【０１５１】
４５．送信されるフレームがＡ−ＭＳＤＵである場合、送信局は、アドレス３フィールドまたはアドレス４フィールドの少なくとも１つを省く実施形態１乃至４４のいずれか一実施形態に記載の方法。
【０１５２】
４６．管理フレームに関するＭＡＣヘッダは、オプションフィールドと、長さフィールドと、フレーム制御フィールドと、持続時間フィールドと、アドレス１フィールドと、アドレス２フィールドと、アドレス３フィールドと、シーケンス制御フィールドと、ＶＨＴ制御フィールドと、巡回冗長検査／フレームチェックシーケンス（ＦＣＳ）フィールドと、フレームボディと、ＦＣＳフィールドとを含む実施形態１乃至４５のいずれか一実施形態に記載の方法。
【０１５３】
４７．実施形態１乃至４６のいずれか一実施形態に記載の方法であって、
送信局の能力および受信局の能力に適切であるとともに、送信されるパケットに関係があるＭＡＣヘッダの情報を送信することによってＭＡＣヘッダ圧縮をもたらすことをさらに備える方法。
【０１５４】
４８．実施形態１乃至４７のいずれか一実施形態に記載の方法であって、
フレームごとに変わるＭＡＣヘッダの部分を送信し、かつフレームをまたいで一定のままである情報を送信しないことによってＭＡＣヘッダ圧縮もたらすことをさらに備える方法。
【０１５５】
４９．圧縮されたＭＡＣヘッダの内容は、アクセスポイントと局との間でネゴシエートされる実施形態１乃至４８のいずれか一実施形態に記載の方法。
【０１５６】
５０．圧縮されたＭＡＣヘッダの内容は、アクセスポイントによって決定される実施形態１乃至４９のいずれか一実施形態に記載の方法。
【０１５７】
５１．ＭＡＣヘッダは、誤り検出コードまたは誤り訂正コードを含む実施形態１乃至５０のいずれか一実施形態に記載の方法。
【０１５８】
５２．オプションフィールドの少なくとも１つの要素は、新たなフィールドまたは既存のフィールドの少なくともサブフィールドとして実装される実施形態１乃至５１のいずれか一実施形態に記載の方法。
【０１５９】
５３．アドレス３フィールドは、媒体アクセス制御（ＭＡＣ）ヘッダの中に含められる実施形態１乃至５２のいずれか一実施形態に記載の方法。
【０１６０】
５４．ＭＡＣヘッダにおける少なくとも１ビットは、アドレス３フィールドの存在を示すのに使用される実施形態１乃至５３のいずれか一実施形態に記載の方法。
【０１６１】
５５．ＭＡＣヘッダ内のアドレス３フィールドの存在は、ＣＲＣマスキング、スクランブラ開始シード値、ＳＩＧフィールド内の相対位相変化、または、ＰＬＣＰヘッダ内のパイロット値またはパターンのうちの少なくとも１つによって示される実施形態１乃至５４のいずれか一実施形態に記載の方法。
【０１６２】
５６．アドレス４フィールドは、媒体アクセス制御（ＭＡＣ）ヘッダの中に含められる実施形態１乃至５５のいずれか一実施形態に記載の方法。
【０１６３】
５７．ＭＡＣヘッダにおける少なくとも１ビットは、アドレス４フィールドの存在を示すのに使用される実施形態１乃至５６のいずれか一実施形態に記載の方法。
【０１６４】
５８．ＭＡＣヘッダ内のアドレス４フィールドの存在は、ＣＲＣマスキング、スクランブラ開始シード値、ＳＩＧフィールド内の相対位相変化、または、ＰＬＣＰヘッダ内のパイロット値またはパターンのうちの少なくとも１つによって示される実施形態１乃至５７のいずれか一実施形態に記載の方法。
【０１６５】
５９．アドレス３フィールドの存在／欠如は、アドレス４フィールドの存在／欠如を示す実施形態１乃至５８のいずれか一実施形態に記載の方法。
【０１６６】
６０．フラグメンテーションフィールドにおける少なくとも１ビットは、現在のフレームが、より大きいフレームのフラグメンテーションを包含するかどうかを示すのに使用される実施形態１乃至５９のいずれか一実施形態に記載の方法。
【０１６７】
６１．現在のフレームが、より大きいフレームのフラグメンテーションを包含するかどうかは、ＣＲＣマスキング、スクランブラ開始シード値、ＳＩＧフィールド内の相対位相変化、または、ＰＬＣＰヘッダ内のパイロット値またはパターンのうちの少なくとも１つによって示される実施形態１乃至６０のいずれか一実施形態に記載の方法。
【０１６８】
６２．ＭＡＣヘッダオプションにおける少なくとも１ビットまたは複数のビットは、ＭＡＣヘッダのタイプ、または、ＭＡＣフレームのタイプを示すのに使用される実施形態１乃至６１のいずれか一実施形態に記載の方法。
【０１６９】
６３．ＭＡＣヘッダ（ＭＨ）オプションは、ＣＲＣマスキング、スクランブラ開始シード値、ＳＩＧフィールド内の相対位相変化、または、ＰＬＣＰヘッダ内のパイロット値またはパターンのうちの少なくとも１つによって示される実施形態１乃至６２のいずれか一実施形態に記載の方法。
【０１７０】
６４．「Ｔｏ  ＤＳ」ビットおよび「Ｆｒｏｍ  ＤＳ」ビットは、フレーム制御フィールドの一部である実施形態１乃至６３のいずれか一実施形態に記載の方法。
【０１７１】
６５．持続時間オプションは、所定のフィールドに適用される実施形態１乃至６４のいずれか一実施形態に記載の方法。
【０１７２】
６６．ＰＬＣＰヘッダで使用される１ビットまたは複数のビットは、使用されるＭＡＣヘッダが短いＭＡＣヘッダであることを示すのに使用される実施形態１乃至６５のいずれか一実施形態に記載の方法。
【０１７３】
６７．ＣＲＣマスキングは、使用されるＭＡＣヘッダが短いＭＡＣヘッダであることを示すのに使用される実施形態１乃至６６のいずれか一実施形態に記載の方法。
【０１７４】
６８．スクランブラ開始シード値は、使用されるＭＡＣヘッダが短いＭＡＣヘッダであることを示すのに使用される実施形態１乃至６７のいずれか一実施形態に記載の方法。
【０１７５】
６９．信号（ＳＩＧ）フィールド内の相対位相変化は、使用されるＭＡＣヘッダが短いＭＡＣヘッダであることを示すのに使用される実施形態１乃至６８のいずれか一実施形態に記載の方法。
【０１７６】
７０．ＰＬＣＰヘッダ内の相対パイロット値は、使用されるＭＡＣヘッダが短いＭＡＣヘッダであることを示すのに使用される実施形態１乃至６９のいずれか一実施形態に記載の方法。
【０１７７】
７１．ＰＬＣＰヘッダ内のパターンは、使用されるＭＡＣヘッダが短いＭＡＣヘッダであることを示すのに使用される実施形態１乃至７０のいずれか一実施形態に記載の方法。
【０１７８】
７２．フレーム制御フィールド内のタイプおよびフィールドは、短いＭＡＣヘッダの１つまたは複数のタイプを示すのに使用される実施形態１乃至７１のいずれか一実施形態に記載の方法。
【０１７９】
７３．フレーム制御フィールドにおける１つまたは複数の予約されたビットは、１つまたは複数の短いＭＡＣヘッダタイプを示すのに使用される実施形態１乃至７２のいずれか一実施形態に記載の方法。
【０１８０】
７４．短いＭＡＣヘッダの１つのタイプは、特定のＷｉＦｉ標準、ＩＥＥＥ８０２．１１標準、または、無線標準に関してデフォルトである実施形態１乃至７３のいずれか一実施形態に記載の方法。
【０１８１】
７５．短いＭＡＣヘッダの１つのタイプは、特定のアクセスポイント（ＡＰ）または基本サービスセット（ＢＳＳ）に関してデフォルトである実施形態１乃至７４のいずれか一実施形態に記載の方法。
【０１８２】
７６．デフォルトの短いＭＡＣフレームは、ＡＰによって送信されるビーコン、短いビーコン、プローブ応答、関連付け応答フレーム、または、他のタイプの管理フレーム、制御フレーム、または、他のタイプのフレームの中に含められる実施形態１乃至７５のいずれか一実施形態に記載の方法。
【０１８３】
７７．ＰＬＣＰヘッダまたはＭＡＣヘッダにおける１ビットまたは複数のビットは、使用される短いＭＡＣヘッダが、デフォルトのものとは異なるタイプの短いＭＡＣヘッダであることを示すのに使用される実施形態１乃至７６のいずれか一実施形態に記載の方法。
【０１８４】
７８．ＰＬＣＰヘッダまたはＭＡＣヘッダにおける１ビットまたは複数のビットは、フレーム制御フィールド内、または、シーケンス制御フィールド内にある実施形態１乃至７７のいずれか一実施形態に記載の方法。
【０１８５】
７９．ＣＲＣマスキング、スクランブラ開始シード値、ＳＩＧフィールド内の相対位相変化、または、ＰＬＣＰヘッダ内のパイロット値またはパターンは、使用される短いＭＡＣヘッダが、デフォルトのものとは異なるタイプの短いＭＡＣヘッダであることを示すのに使用される実施形態１乃至７８のいずれか一実施形態に記載の方法。
【０１８６】
８０．ＳＴＡは、ＰＬＣＰヘッダを使用して、現在受信されているパケットに関連付けられたＭＡＣヘッダが、短いＭＡＣヘッダであるかどうか、および／または、いずれのタイプの短いＭＡＣヘッダであるかを特定する実施形態１乃至７９のいずれか一実施形態に記載の方法。
【０１８７】
８１．短いＭＡＣヘッダの存在およびタイプに関する両方のインジケーションが、ＰＬＣＰヘッダを介して獲得されたという条件付きで、その局（ＳＴＡ）は、指定された短いＭＡＣヘッダ定義に従ってそのＭＡＣヘッダを解釈する実施形態１乃至８０のいずれか一実施形態に記載の方法。
【０１８８】
８２．ＰＬＣＰヘッダ内の短いＭＡＣヘッダの存在に関するインジケーションが、その短いＭＡＣヘッダのタイプのインジケーションなしに存在するという条件付きで、そのＳＴＡは、そのＭＡＣヘッダ自体を解釈して、いずれのタイプの短いＭＡＣヘッダが現在受信されているかについての情報を獲得する実施形態１乃至８１のいずれか一実施形態に記載の方法。
【０１８９】
８３．短いＭＡＣヘッダがデフォルトと見なされるという条件付きで、ＳＴＡは、ＰＬＣＰヘッダ内またはＭＡＣヘッダ内のインジケーションに基づいて、現在のＭＡＣヘッダが別のタイプの短いＭＡＣヘッダであるかどうかを判定する実施形態１乃至８２のいずれか一実施形態に記載の方法。
【０１９０】
８４．現在のＭＡＣヘッダがデフォルトの短いＭＡＣヘッダであるという条件付きで、そのＳＴＡは、そのＭＡＣヘッダを、相応するように解釈する実施形態１乃至８３のいずれか一実施形態に記載の方法。
【０１９１】
８５．デフォルトのタイプ以外の別のタイプの短いＭＡＣヘッダが検出されたという条件付きで、そのＳＴＡは、指定された短いＭＡＣヘッダタイプに従ってその短いＭＡＣヘッダのフィールドを解釈する実施形態１乃至８４のいずれか一実施形態に記載の方法。
【０１９２】
８６．実施形態１乃至８５のいずれか一実施形態に記載の方法を実行するように構成された無線送信／受信ユニット（ＷＴＲＵ）。
【０１９３】
８７．トランシーバをさらに備える実施形態８６に記載のＷＴＲＵ。
【０１９４】
８８．実施形態８６または８７に記載のＷＴＲＵであって、
プロセッサをさらに備えるＷＴＲＵ。
【０１９５】
８９．プロセッサは、実施形態１乃至８５のいずれか一実施形態に記載の方法を実行するように構成された実施形態８６乃至８８のいずれか一実施形態に記載のＷＴＲＵ。
【０１９６】
９０．実施形態１乃至８５のいずれか一実施形態に記載の方法を実行するように構成された基地局。
【０１９７】
９１．実施形態１乃至８５のいずれか一実施形態に記載の方法を実行するように構成された集積回路（ＩＣ）。
【０１９８】
９２．実施形態１乃至８５のいずれか一実施形態に記載の方法を実行するように構成されたアクセスポイント。
【０１９９】
９３．実施形態１乃至８５のいずれか一実施形態に記載の方法を実行するように構成された局。
【０２００】
９４．実施形態１乃至８５のいずれか一実施形態に記載の方法を実行するように構成された無線送信／受信ユニット（ＷＴＲＵ）。
【０２０１】
９５．トランシーバをさらに備える実施形態９４に記載のＷＴＲＵ。
【０２０２】
９６．実施形態１乃至８５のいずれか一実施形態に記載のＷＴＲＵであって、
プロセッサをさらに備えるＷＴＲＵ。
【０２０３】
９７．プロセッサが、実施形態１乃至８５のいずれか一実施形態に記載されるとおりに構成される実施形態１乃至８５のいずれか一実施形態に記載のＷＴＲＵ。
【０２０４】
９８．実施形態１乃至８５のいずれか一実施形態に記載されるとおりに構成された基地局。
【０２０５】
９９．実施形態１乃至８５のいずれか一実施形態に記載されるとおりに構成された集積回路（ＩＣ）。
【０２０６】
１００．実施形態１乃至８５のいずれか一実施形態に記載されるとおりに構成されたアクセスポイント。
【０２０７】
１０１．実施形態１乃至８５のいずれか一実施形態に記載されるとおりに構成された局。
【０２０８】
特徴および要素は、前段において特定の組み合わせで説明されるものの、各特徴または各要素は、単独で使用されることも、その他の特徴および要素を伴ってまたは伴わずに任意の組み合わせで使用されることも可能であることが、当業者には認識されよう。さらに、本明細書で説明される方法は、コンピュータまたはプロセッサによって実行されるようにコンピュータ可読媒体に組み込まれたコンピュータプログラム、ソフトウェア、または、ファームウェアとして実装されることが可能である。コンピュータ可読媒体の例は、電子信号（有線接続または無線接続を介して伝送される）およびコンピュータ可読記憶媒体を含む。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内部ハードディスクやリムーバブルディスクなどの磁気媒体、光磁気媒体、および、ＣＤ−ＲＯＭディスクやデジタルバーサタイルディスク（ＤＶＤ）などの光媒体を含むが、以上には限定されない。ソフトウェアに関連するプロセッサが、ＷＴＲＵ、ＵＥ、端末装置、基地局、ＲＮＣ、または、任意のホストコンピュータにおいて使用されるように無線周波数トランシーバを実装するのに使用されることが可能である。
【図１Ａ】
0006014246.tif 000003
【図１Ｂ】
0006014246.tif 000004
【図１Ｃ】
0006014246.tif 000005
【図２】
0006014246.tif 000006
【図３】
0006014246.tif 000007
【図４】
0006014246.tif 000008
【図５】
0006014246.tif 000009
【図６】
0006014246.tif 000010
【図７】
0006014246.tif 000011
【図８】
0006014246.tif 000012
【図９】
0006014246.tif 000013
【図１０】
0006014246.tif 000014